(57)【特許請求の範囲】
【請求項１】
背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルであって、
前記背表紙は、円弧状の角部を介して表表紙及び裏表紙に連設され、
前記背表紙は、
表表紙と裏表紙とを連結する円弧状の角部より、一定の距離をおいた内側において、その長手方向の上端側から下端側まで並ぶように、複数の貫通孔が形成され、
前記複数の貫通孔の孔縁は、背表紙の高さ方向において、直線状に並び、且つ複数の貫通孔の表表紙側の孔縁に一方の保形部が形成され、複数の貫通孔の裏表紙側の孔縁に他方の保形部が形成され、
前記複数の貫通孔の間には、表表紙の内側と裏表紙の内側との間において、前記表表紙側の保形部と前記裏表紙側の保形部との間に架設された帯状の架設連結部が形成され、
幅方向における中間の領域において、高さ方向に連続する一定の幅のわん曲部を形成され、
前記わん曲部は、表表紙側の保形部と裏表紙側の保形部との間である、表表紙側の孔縁と裏表紙側の孔縁との間において、構成され、
表表紙の内側と裏表紙の内側との間に形成された架設連結部に、前記保挟シートが、被挟体の厚さに対応した間隔をおいて、背表紙側の端縁において前記わん曲部に前記保挟シートの連結部を熱溶着されて、ファイル表紙体の幅方向における中間の領域において、高さ方向に連続する一定の幅のわん曲部を形成された、背表紙部を有し、
前記背表紙部は、閉じられた表表紙の内側面と裏表紙の内側面との間の距離より、わん曲部の幅の方が短くなるように構成され、
前記わん曲部は、被挟体を挟むときには、平面状の形状を維持されるように保形され、且つ表表紙及び／又は裏表紙を開くときには、保挟シートののびる方向に向けてわん曲するように形成され、
保挟シートの前記連結された連結部は、被挟体を挟むときには並んだ保挟シートの対向面の間に被挟体を保挟する形状を維持されるように保形され、且つ被挟体を取り外すときには、保挟シートののびる側に向けてわん曲されるように柔軟に形成され、
保挟シートは、
被挟体を挟むときには、連結部の領域において、隣接する他の保挟シートとの間に被挟体を保持し、連結部から突き出た領域において被挟体の表面に接し合うように形成され、
被挟体を取り外すときには、連結部の領域における隣接する他の保挟シートとの間隔が広がり、被挟体を指先で挟み持ち取り外すことができるように形成された、ファイル。
【請求項２】
背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルであって、
前記背表紙は、円弧状の角部を介して表表紙及び裏表紙に連設され、
前記背表紙は、
表表紙と裏表紙とを連結する円弧状の角部より、一定の距離をおいた内側において、その長手方向の上端側から下端側まで並ぶように、複数の貫通孔が形成され、
前記複数の貫通孔の孔縁は、背表紙の高さ方向において、直線状に並び、且つ複数の貫通孔の表表紙側の孔縁に一方の保形部が形成され、複数の貫通孔の裏表紙側の孔縁に他方の保形部が形成され、
前記複数の貫通孔の間には、表表紙の内側と裏表紙の内側との間において、前記一方の保形部と前記他方の保形部との間に架設された帯状の架設連結部が形成され、
幅方向における中間の領域において、高さ方向に連続する一定の幅のわん曲部を形成され、
前記わん曲部は、表表紙側の保形部と裏表紙側の保形部との間である、表表紙側の孔縁と裏表紙側の孔縁との間において、構成され、
表表紙の内側と裏表紙の内側との間に形成された架設連結部に、前記保挟シートが、被挟体の厚さに対応した間隔をおいて、背表紙側の端縁において前記わん曲部に前記保挟シートの連結部を熱溶着されて、ファイル表紙体の幅方向における中間の領域において、高さ方向に連続する一定の幅のわん曲部を形成された、背表紙部を有し、
前記架設連結部及び連結部を含むわん曲部は、前記表表紙側の保形部及び前記裏表紙側の保形部より全体的に柔らかく構成され、
前記保挟シートの連結部は、被挟体を挟むときには、並んだ保挟シートの対向面の間に被挟体を保挟する形状を維持されるように且つ保挟シートののびる側に向けてわん曲した形状を維持されるように保形されるとともに、表表紙及び裏表紙を開くときに、表表紙と裏表紙との間の間隔は縮まり、保挟シートののびる方向に向けて更にわん曲してアーチ状に曲がるように形成され、
前記わん曲部は、被挟体を挟むときには、並んだ保挟シートの対向面の間に被挟体を保挟する形状を維持されるように且つ保挟シートののびる側に向けてわん曲した形状を維持されるように保形されるとともに、表表紙及び裏表紙を開くときには、保形力に優る一方の保形部及び他方の保形部の内側縁を中心にして、保挟シートののびる方向に向けて更にわん曲してアーチ状に曲がるように形成され、
保挟シートは、
被挟体を挟むときには、連結部の領域において、隣接する他の保挟シートとの間に被挟体を保持し、連結部から突き出た領域において被挟体の表面に接し合うように形成され、
被挟体を取り外すときには、連結部の領域における隣接する他の保挟シートとの間隔が広がり、被挟体を指先で挟み持ち取り外すことができるように形成された、ファイル。
【請求項３】
背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルであって、
前記背表紙は、円弧状の角部を介して表表紙及び裏表紙に連設され、
前記背表紙は、円弧状の角部の内側において、表表紙側の一方の保形部及び裏表紙側の他方の保形部を形成され、
前記保挟シートは、第１の保挟シートと第２の保挟シートとを有し、
前記第１の保挟シートは、長方形の挟持シート部と前記挟持シート部の端部から前記背表紙の内側と前記複数の第２の保挟シートの端部との間にわたって溶着連結体が形成され、
前記溶着連結体は、背表紙の幅と略々同一の幅を備えており、背表紙の内側において、前記一方の保形部及び他方の保形部に溶着され、
前記溶着連結体は、被挟体を挟むときには並んだ保挟シートの対向面の間に被挟体を保挟する形状を維持されるように保形され、且つ被挟体を取り外すときには、保挟シートののびる側に向けてわん曲されるように柔軟に形成され、
背表紙は、幅方向における中間の領域において、高さ方向に連続する一定の幅のわん曲部を形成され、前記わん曲部に保挟シートを固着された、背表紙部を有し、
保挟シートは、被挟体の厚さに対応した間隔をおいて、背表紙側の端縁において互いに熱溶着されて並んで連結されてわん曲部を構成し、
背表紙部は、表表紙の内側と裏表紙の内側との間の溶着連結体に前記保挟シートの連結部を熱溶着されて、ファイル表紙体の幅方向における中間の領域において、高さ方向に連続する一定の幅のわん曲部を形成され、背表紙部を構成し、
保挟シートは、
被挟体を挟むときには、溶着連結体の領域において、隣接する他の保挟シートとの間に被挟体を保持し、溶着連結体から突き出た領域において被挟体の表面に接し合うように形成され、
被挟体を取り外すときには、溶着連結体に固着された領域における隣接する他の保挟シートとの間隔が広がり、被挟体を指先で挟み持ち取り外すことができるように形成された、ファイル。
【請求項４】
表紙は、表表紙が裏表紙より幅の狭い表紙として構成され、表紙を閉じたときにも表表紙側から、保挟シートの取り出し側側縁に形成されたインデックスを見ることができるように構成されている、請求項１ないし請求項３のいずれかに記載のファイル。
【請求項５】
前記保挟シートの連結部又は溶着連結体は、
幅方向における一端において表表紙に接続され且つ幅方向における他端において裏表紙に接続されて、背表紙部を形成したファイルの表紙体を構成し、
表表紙の内側と裏表紙の内側との間において接続されて、ファイル表紙体の幅方向における中間の領域において、高さ方向に連続する一定の幅のわん曲部を形成され、閉じられた表表紙の内側面と裏表紙の内側面との間の距離よりわん曲部の幅の方が短くなるように構成され、
被挟体を挟むときには、平面状又は保挟シートののびる側若しくは保挟シートののびる側とは反対側に向けてわん曲した形状を維持されるように保形され、且つ表表紙及び裏表紙を開くときに、保挟シートののびる方向に向けてわん曲するように形成された、請求項１ないし請求項４のいずれかに記載のファイル。
【請求項６】
背表紙と表表紙との間及び背表紙と裏表紙との間には、表紙の上端から下端にわたってヒンジ溝が形成され、
前記溝の内側に、表表紙側の保形部及び裏表紙側の保形部を形成され、
さらに、前記ヒンジ溝から間隔を隔てて前記ヒンジ溝と平行に、表表紙及び裏表紙の上端から下端にわたって別のヒンジ溝が形成される、請求項１ないし請求項５のいずれかに記載のファイル。
【請求項７】
背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルの製造方法であって、
表表紙及び裏表紙を連結する角部より、一定の距離をおいた内側において、その長手方向の上端側から下端側まで並ぶように、複数の貫通孔が形成され、
複数の貫通孔の孔縁が、背表紙の高さ方向において、直線状に並び、且つ円弧状の角部の内側において、複数の貫通孔の表表紙側の孔縁に一方の保形部が形成され、複数の貫通孔の裏表紙側の孔縁に他方の保形部が形成され、
複数の貫通孔の間には、表表紙の内側と裏表紙の内側との間において、前記一方の保形部と前記他方の保形部との間に架設された帯状の架設連結部が形成された背表紙を準備し、
保挟シートを、被挟体の厚さに対応した間隔をおいて、背表紙側の端縁において互いに並んで熱溶着して連結して連結部を形成する、溶着工程と、
表表紙の内側と裏表紙の内側との間に形成された架設連結部及び／又は保形部に、前記保挟シートが、被挟体の厚さに対応した間隔をおいて、背表紙側の端縁において前記保挟シートの連結部を熱溶着されて、被挟体を挟むときには並んだ保挟シートの対向面の間に被挟体を保持する形状を維持されるように保形され、且つ被挟体を取り外すときには、保挟シートののびる側に向けてわん曲するように柔軟に形成されたわん曲部を背表紙領域に形成する、わん曲部形成工程と、
背表紙に、前記円弧状の角部を介して表表紙及び裏表紙を連設する、表紙形成工程とを含み、
前記わん曲部は、表表紙側の保形部と裏表紙側の保形部との間である、表表紙側の孔縁と裏表紙側の孔縁との間において、構成され、
前記背表紙部は、閉じられた表表紙の内側面と裏表紙の内側面との間の距離より、わん曲部の幅の方が短くなるように構成され、
前記わん曲部は、被挟体を挟むときには、平面状の形状を維持されるように保形され、且つ表表紙及び裏表紙を開くときには、保挟シートののびる方向に向けてわん曲するように形成され、
保挟シートは、
被挟体を挟むときには、連結部の領域において、隣接する他の保挟シートとの間に被挟体を保持し、連結部から突き出た領域において被挟体の表面に接し合うように形成され、
被挟体を取り外すときには、連結部に固着された領域における隣接する他の保挟シートとの間隔が広がり、被挟体を指先で挟み持ち取り出すことができるように形成された、ファイルを製造する、ファイルの製造方法。
【請求項８】
背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルの製造方法であって、
その長手方向の上端側から下端側まで並ぶように、複数の貫通孔が形成され、
複数の貫通孔の孔縁が、背表紙の高さ方向において、直線状に並び、且つ複数の貫通孔の表表紙側の孔縁に一方の保形部が形成され、複数の貫通孔の裏表紙側の孔縁に他方の保形部が形成され、
貫通孔の間には、表表紙の内側と裏表紙の内側との間において、前記一方の保形部と前記他方の保形部との間に架設された帯状の架設連結部が形成され、
幅方向における中間の領域において、高さ方向に連続する一定の幅のわん曲部を形成された背表紙を準備し、
保挟シートを、被挟体の厚さに対応した間隔をおいて、背表紙側の端縁において互いに並んで熱溶着して連結して連結部を形成する、溶着工程と、
表表紙の内側と裏表紙の内側との間に形成された架設連結部及び／又は保形部に、前記保挟シートが、被挟体の厚さに対応した間隔をおいて、背表紙側の端縁において前記保挟シートの連結部を熱溶着されて、被挟体を挟むときには並んだ保挟シートの対向面の間に被挟体を保持する形状を維持されるように保形され、且つ被挟体を取り外すときには、保挟シートののびる側に向けてわん曲するように柔軟に形成されたわん曲部を背表紙領域に形成する、わん曲部形成工程を含み、
前記わん曲部は、表表紙側の保形部と裏表紙側の保形部との間である、表表紙側の孔縁と裏表紙側の孔縁との間において、構成され、
前記架設連結部及び連結部を含むわん曲部は、前記一方の保形部及び前記他方の保形部より全体的に柔らかく構成され、
前記保挟シートの連結部は、表表紙及び裏表紙より全体的に柔軟であり、被挟体を挟むときには、並んだ保挟シートの対向面の間に被挟体を保挟する形状を維持されるように且つ保挟シートののびる側に向けてわん曲した形状を維持されるように保形されるとともに、表表紙及び裏表紙を開くときに、表表紙と裏表紙との間の間隔は縮まり、保挟シートののびる方向に向けて更にわん曲してアーチ状に曲がるように形成され、
前記わん曲部は、被挟体を挟むときには、並んだ保挟シートの対向面の間に被挟体を保挟する形状を維持されるように且つ保挟シートののびる側に向けてわん曲した形状を維持されるように保形されるとともに、表表紙及び裏表紙を開くときには、保形力に優る一方の保形部及び他方の保形部の内側縁を中心にして、保挟シートののびる方向に向けて更にわん曲してアーチ状に曲がるように形成され、
保挟シートは、
被挟体を挟むときには、連結部の領域において、隣接する他の保挟シートとの間に被挟体を保持し、連結部から突き出た領域において被挟体の表面に接し合うように形成され、
被挟体を取り外すときには、連結部に固着された領域における隣接する他の保挟シートとの間隔が広がり、被挟体を指先で挟み持ち取り出すことができるように形成された、ファイルを製造する、ファイルの製造方法。
【請求項９】
背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルの製造方法であって、
表表紙及び裏表紙に連設される、円弧状の角部の内側において、表表紙側の一方の保形部及び裏表紙側の他方の保形部を形成された背表紙を準備し、
第１の保挟シートと第２の保挟シートとを有し、
前記第１の保挟シートは、長方形の挟持シート部と前記挟持シート部の端部から前記背表紙の内側と前記複数の第２の保挟シートの端部との間にわたって溶着連結体が形成され、
前記溶着連結体が、背表紙の幅と略々同一の幅を備えている保挟シートを準備し、
前記保挟シートを、被挟体の厚さに対応した間隔をおいて、背表紙側の端縁において互いに並んで溶着連結体に溶着して連結する、溶着工程と、
被挟体を挟むときには並んだ保挟シートの対向面の間に被挟体を保持する形状を維持されるように保形され、且つ被挟体を取り外すときには、保挟シートののびる側に向けてわん曲するように柔軟に形成されたわん曲部を背表紙領域に形成する、わん曲部形成工程と、
前記溶着連結体を、前記一方の保形部及び他方の保形部に溶着する溶着連結体溶着工程とを含み、
背表紙は、幅方向における中間の領域において、高さ方向に連続する一定の幅のわん曲部を形成され、前記わん曲部に保挟シートを固着された、背表紙部を有し、
保挟シートは、被挟体の厚さに対応した間隔をおいて、背表紙側の端縁において互いに熱溶着されて並んで連結されてわん曲部を構成し、
背表紙部は、表表紙の内側と裏表紙の内側との間の溶着連結体に前記保挟シートの連結部を熱溶着されて、ファイル表紙体の幅方向における中間の領域において、高さ方向に連続する一定の幅のわん曲部を形成され、
保挟シートは、
被挟体を挟むときには、溶着連結体に固着された領域において、隣接する他の保挟シートとの間に被挟体を保持し、溶着連結体から突き出た領域において被挟体の表面に接し合うように形成され、
被挟体を取り外すときには、溶着連結体に固着された領域における隣接する他の保挟シートとの間隔が広がり、被挟体を指先で挟み持ち取り出すことができるように形成された、ファイルを製造する、ファイルの製造方法。
【請求項１０】
前記保挟シート及び表表紙の内側と裏表紙の内側との間に形成された架設連結部は、熱可塑性合成樹脂シートであり、保挟シートの端縁を熱溶融して架設連結部に固着され、
保挟シートの端縁を熱溶融するときに同時に又は後に保挟シートの連結部の領域及び前記架設連結部をわん曲してわん曲部を形成する、請求項７又は請求項８に記載のファイルの製造方法。
【発明の詳細な説明】
【技術分野】
【０００１】
この発明は、ファイル及びその製造方法に関し、特にたとえば、手帳型の複数の保挟シートの間に書類やカード類を挟みこんで保持することができるファイル及びその製造方法に関する。
【背景技術】
【０００２】
たとえば、熱可塑性樹脂からなる背部と被綴じシートとを溶着することにより製本されたアルバムなどがある。このようなアルバムを作製するには、多数枚の被綴じシートが重合して保持される。これらの被綴じシートの重なり端面に表紙の背部の内側が近付けられ、被綴じシートの重なり端面と表紙の背部との間に発熱体が挿入される。発熱体による加熱により、被綴じシートの重なり端面と表紙の背部が同時に溶融する。この状態で、被綴じシートと表紙の背部との間から発熱体を引き抜き、被綴じシートの重なり端面と表紙の背部とを接触させることにより、被綴じシートと表紙とが溶着される。
【０００３】
このような製本方法で作製されるものとしては、アルバム以外に、名刺ホルダーやはがき整理用ファイルなどがある（特許文献１参照）。
【先行技術文献】
【特許文献】
【０００４】
【特許文献１】特許第２５２３２６１号公報
【発明の概要】
【発明が解決しようとする課題】
【０００５】
しかしながら、このような従来の製本方法で作製されたファイルなどでは、多数枚の被綴じシートの間に用紙やカード等を挟むことがあるが、被綴じシートの間に無理に用紙やカード等を挟み込むと、それを取り外すときに取り外しにくい。
【０００６】
それゆえに、この発明の主たる目的は、用紙等を挟み込んだときに取り外し易いファイルと、そのようなファイルの製造方法を提供することである。
【課題を解決するための手段】
【０００７】
この発明の請求項１にかかるファイルは、背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルであって、前記背表紙は、円弧状の角部を介して表表紙及び裏表紙に連設され、前記背表紙は、表表紙と裏表紙とを連結する円弧状の角部より、一定の距離をおいた内側において、その長手方向の上端側から下端側まで並ぶように、複数の貫通孔が形成され、前記複数の貫通孔の孔縁は、背表紙の高さ方向において、直線状に並び、且つ複数の貫通孔の表表紙側の孔縁に一方の保形部が形成され、複数の貫通孔の裏表紙側の孔縁に他方の保形部が形成され、前記複数の貫通孔の間には、表表紙の内側と裏表紙の内側との間において、前記表表紙側の保形部と前記裏表紙側の保形部との間に架設された帯状の架設連結部が形成され、幅方向における中間の領域において、高さ方向に連続する一定の幅のわん曲部を形成され、前記わん曲部は、表表紙側の保形部と裏表紙側の保形部との間である、表表紙側の孔縁と裏表紙側の孔縁との間において、構成され、表表紙の内側と裏表紙の内側との間に形成された架設連結部に、前記保挟シートが、被挟体の厚さに対応した間隔をおいて、背表紙側の端縁において前記わん曲部に前記保挟シートの連結部を熱溶着されて、ファイル表紙体の幅方向における中間の領域において、高さ方向に連続する一定の幅のわん曲部を形成された、背表紙部を有し、前記背表紙部は、閉じられた表表紙の内側面と裏表紙の内側面との間の距離より、わん曲部の幅の方が短くなるように構成され、前記わん曲部は、被挟体を挟むときには、平面状の形状を維持されるように保形され、且つ表表紙及び／又は裏表紙を開くときには、保挟シートののびる方向に向けてわん曲するように形成され、保挟シートの前記連結された連結部は、被挟体を挟むときには並んだ保挟シートの対向面の間に被挟体を保挟する形状を維持されるように保形され、且つ被挟体を取り外すときには、保挟シートののびる側に向けてわん曲されるように柔軟に形成され、保挟シートは、被挟体を挟むときには、連結部の領域において、隣接する他の保挟シートとの間に被挟体を保持し、連結部から突き出た領域において被挟体の表面に接し合うように形成され、被挟体を取り外すときには、連結部の領域における隣接する他の保挟シートとの間隔が広がり、被挟体を指先で挟み持ち取り外すことができるように形成された、ファイルである。
この発明の請求項２にかかるファイルは、背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルであって、前記背表紙は、円弧状の角部を介して表表紙及び裏表紙に連設され、前記背表紙は、表表紙と裏表紙とを連結する円弧状の角部より、一定の距離をおいた内側において、その長手方向の上端側から下端側まで並ぶように、複数の貫通孔が形成され、前記複数の貫通孔の孔縁は、背表紙の高さ方向において、直線状に並び、且つ複数の貫通孔の表表紙側の孔縁に一方の保形部が形成され、複数の貫通孔の裏表紙側の孔縁に他方の保形部が形成され、前記複数の貫通孔の間には、表表紙の内側と裏表紙の内側との間において、前記一方の保形部と前記他方の保形部との間に架設された帯状の架設連結部が形成され、幅方向における中間の領域において、高さ方向に連続する一定の幅のわん曲部を形成され、前記わん曲部は、表表紙側の保形部と裏表紙側の保形部との間である、表表紙側の孔縁と裏表紙側の孔縁との間において、構成され、表表紙の内側と裏表紙の内側との間に形成された架設連結部に、前記保挟シートが、被挟体の厚さに対応した間隔をおいて、背表紙側の端縁において前記わん曲部に前記保挟シートの連結部を熱溶着されて、ファイル表紙体の幅方向における中間の領域において、高さ方向に連続する一定の幅のわん曲部を形成された、背表紙部を有し、前記架設連結部及び連結部を含むわん曲部は、前記表表紙側の保形部及び前記裏表紙側の保形部より全体的に柔らかく構成され、前記保挟シートの連結部は、被挟体を挟むときには、並んだ保挟シートの対向面の間に被挟体を保挟する形状を維持されるように且つ保挟シートののびる側に向けてわん曲した形状を維持されるように保形されるとともに、表表紙及び裏表紙を開くときに、表表紙と裏表紙との間の間隔は縮まり、保挟シートののびる方向に向けて更にわん曲してアーチ状に曲がるように形成され、前記わん曲部は、被挟体を挟むときには、並んだ保挟シートの対向面の間に被挟体を保挟する形状を維持されるように且つ保挟シートののびる側に向けてわん曲した形状を維持されるように保形されるとともに、表表紙及び裏表紙を開くときには、保形力に優る一方の保形部及び他方の保形部の内側縁を中心にして、保挟シートののびる方向に向けて更にわん曲してアーチ状に曲がるように形成され、保挟シートは、被挟体を挟むときには、連結部の領域において、隣接する他の保挟シートとの間に被挟体を保持し、連結部から突き出た領域において被挟体の表面に接し合うように形成され、被挟体を取り外すときには、連結部の領域における隣接する他の保挟シートとの間隔が広がり、被挟体を指先で挟み持ち取り外すことができるように形成された、ファイルである。
この発明の請求項３にかかるファイルは、背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルであって、前記背表紙は、円弧状の角部を介して表表紙及び裏表紙に連設され、前記背表紙は、円弧状の角部の内側において、表表紙側の一方の保形部及び裏表紙側の他方の保形部を形成され、前記保挟シートは、第１の保挟シートと第２の保挟シートとを有し、前記第１の保挟シートは、長方形の挟持シート部と前記挟持シート部の端部から前記背表紙の内側と前記複数の第２の保挟シートの端部との間にわたって溶着連結体が形成され、前記溶着連結体は、背表紙の幅と略々同一の幅を備えており、背表紙の内側において、前記一方の保形部及び他方の保形部に溶着され、前記溶着連結体は、被挟体を挟むときには並んだ保挟シートの対向面の間に被挟体を保挟する形状を維持されるように保形され、且つ被挟体を取り外すときには、保挟シートののびる側に向けてわん曲されるように柔軟に形成され、背表紙は、幅方向における中間の領域において、高さ方向に連続する一定の幅のわん曲部を形成され、前記わん曲部に保挟シートを固着された、背表紙部を有し、保挟シートは、被挟体の厚さに対応した間隔をおいて、背表紙側の端縁において互いに熱溶着されて並んで連結されてわん曲部を構成し、背表紙部は、表表紙の内側と裏表紙の内側との間の溶着連結体に前記保挟シートの連結部を熱溶着されて、ファイル表紙体の幅方向における中間の領域において、高さ方向に連続する一定の幅のわん曲部を形成され、背表紙部を構成し、保挟シートは、被挟体を挟むときには、溶着連結体の領域において、隣接する他の保挟シートとの間に被挟体を保持し、溶着連結体から突き出た領域において被挟体の表面に接し合うように形成され、被挟体を取り外すときには、溶着連結体に固着された領域における隣接する他の保挟シートとの間隔が広がり、被挟体を指先で挟み持ち取り外すことができるように形成された、ファイルである。
この発明の請求項４にかかるファイルにおいては、表紙は、表表紙が裏表紙より幅の狭い表紙として構成され、表紙を閉じたときにも表表紙側から、保挟シートの取り出し側側縁に形成されたインデックスを見ることができるように構成されている、請求項１ないし請求項３のいずれかに記載のファイルである。
この発明の請求項５にかかるファイルにおいては、前記保挟シートの連結部又は溶着連結体は、幅方向における一端において表表紙に接続され且つ幅方向における他端において裏表紙に接続されて、背表紙部を形成したファイルの表紙体を構成し、表表紙の内側と裏表紙の内側との間において接続されて、ファイル表紙体の幅方向における中間の領域において、高さ方向に連続する一定の幅のわん曲部を形成され、閉じられた表表紙の内側面と裏表紙の内側面との間の距離よりわん曲部の幅の方が短くなるように構成され、被挟体を挟むときには、平面状又は保挟シートののびる側若しくは保挟シートののびる側とは反対側に向けてわん曲した形状を維持されるように保形され、且つ表表紙及び裏表紙を開くときに、保挟シートののびる方向に向けてわん曲するように形成された、請求項１ないし請求項４のいずれかに記載のファイルである。
この発明の請求項６にかかるファイルにおいては、背表紙と表表紙との間及び背表紙と裏表紙との間には、表紙の上端から下端にわたってヒンジ溝が形成され、前記溝の内側に、表表紙側の保形部及び裏表紙側の保形部を形成され、さらに、前記ヒンジ溝から間隔を隔てて前記ヒンジ溝と平行に、表表紙及び裏表紙の上端から下端にわたって別のヒンジ溝が形成される、請求項１ないし請求項５のいずれかに記載のファイルである。
この発明の請求項７にかかるファイルの製造方法は、背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルの製造方法であって、表表紙及び裏表紙を連結する角部より、一定の距離をおいた内側において、その長手方向の上端側から下端側まで並ぶように、複数の貫通孔が形成され、複数の貫通孔の孔縁が、背表紙の高さ方向において、直線状に並び、且つ円弧状の角部の内側において、複数の貫通孔の表表紙側の孔縁に一方の保形部が形成され、複数の貫通孔の裏表紙側の孔縁に他方の保形部が形成され、複数の貫通孔の間には、表表紙の内側と裏表紙の内側との間において、前記一方の保形部と前記他方の保形部との間に架設された帯状の架設連結部が形成された背表紙を準備し、保挟シートを、被挟体の厚さに対応した間隔をおいて、背表紙側の端縁において互いに並んで熱溶着して連結して連結部を形成する、溶着工程と、表表紙の内側と裏表紙の内側との間に形成された架設連結部及び／又は保形部に、前記保挟シートが、被挟体の厚さに対応した間隔をおいて、背表紙側の端縁において前記保挟シートの連結部を熱溶着されて、被挟体を挟むときには並んだ保挟シートの対向面の間に被挟体を保持する形状を維持されるように保形され、且つ被挟体を取り外すときには、保挟シートののびる側に向けてわん曲するように柔軟に形成されたわん曲部を背表紙領域に形成する、わん曲部形成工程と、背表紙に、前記円弧状の角部を介して表表紙及び裏表紙を連設する、表紙形成工程とを含み、前記わん曲部は、表表紙側の保形部と裏表紙側の保形部との間である、表表紙側の孔縁と裏表紙側の孔縁との間において、構成され、前記背表紙部は、閉じられた表表紙の内側面と裏表紙の内側面との間の距離より、わん曲部の幅の方が短くなるように構成され、前記わん曲部は、被挟体を挟むときには、平面状の形状を維持されるように保形され、且つ表表紙及び裏表紙を開くときには、保挟シートののびる方向に向けてわん曲するように形成され、保挟シートは、被挟体を挟むときには、連結部の領域において、隣接する他の保挟シートとの間に被挟体を保持し、連結部から突き出た領域において被挟体の表面に接し合うように形成され、被挟体を取り外すときには、連結部に固着された領域における隣接する他の保挟シートとの間隔が広がり、被挟体を指先で挟み持ち取り出すことができるように形成された、ファイルを製造する、ファイルの製造方法である。
この発明の請求項８にかかるファイルの製造方法は、背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルの製造方法であって、その長手方向の上端側から下端側まで並ぶように、複数の貫通孔が形成され、複数の貫通孔の孔縁が、背表紙の高さ方向において、直線状に並び、且つ複数の貫通孔の表表紙側の孔縁に一方の保形部が形成され、複数の貫通孔の裏表紙側の孔縁に他方の保形部が形成され、貫通孔の間には、表表紙の内側と裏表紙の内側との間において、前記一方の保形部と前記他方の保形部との間に架設された帯状の架設連結部が形成され、幅方向における中間の領域において、高さ方向に連続する一定の幅のわん曲部を形成された背表紙を準備し、保挟シートを、被挟体の厚さに対応した間隔をおいて、背表紙側の端縁において互いに並んで熱溶着して連結して連結部を形成する、溶着工程と、表表紙の内側と裏表紙の内側との間に形成された架設連結部及び／又は保形部に、前記保挟シートが、被挟体の厚さに対応した間隔をおいて、背表紙側の端縁において前記保挟シートの連結部を熱溶着されて、被挟体を挟むときには並んだ保挟シートの対向面の間に被挟体を保持する形状を維持されるように保形され、且つ被挟体を取り外すときには、保挟シートののびる側に向けてわん曲するように柔軟に形成されたわん曲部を背表紙領域に形成する、わん曲部形成工程を含み、前記わん曲部は、表表紙側の保形部と裏表紙側の保形部との間である、表表紙側の孔縁と裏表紙側の孔縁との間において、構成され、前記架設連結部及び連結部を含むわん曲部は、前記一方の保形部及び前記他方の保形部より全体的に柔らかく構成され、前記保挟シートの連結部は、表表紙及び裏表紙より全体的に柔軟であり、被挟体を挟むときには、並んだ保挟シートの対向面の間に被挟体を保挟する形状を維持されるように且つ保挟シートののびる側に向けてわん曲した形状を維持されるように保形されるとともに、表表紙及び裏表紙を開くときに、表表紙と裏表紙との間の間隔は縮まり、保挟シートののびる方向に向けて更にわん曲してアーチ状に曲がるように形成され、前記わん曲部は、被挟体を挟むときには、並んだ保挟シートの対向面の間に被挟体を保挟する形状を維持されるように且つ保挟シートののびる側に向けてわん曲した形状を維持されるように保形されるとともに、表表紙及び裏表紙を開くときには、保形力に優る一方の保形部及び他方の保形部の内側縁を中心にして、保挟シートののびる方向に向けて更にわん曲してアーチ状に曲がるように形成され、保挟シートは、被挟体を挟むときには、連結部の領域において、隣接する他の保挟シートとの間に被挟体を保持し、連結部から突き出た領域において被挟体の表面に接し合うように形成され、被挟体を取り外すときには、連結部に固着された領域における隣接する他の保挟シートとの間隔が広がり、被挟体を指先で挟み持ち取り出すことができるように形成された、ファイルを製造する、ファイルの製造方法である。
この発明の請求項９にかかるファイルの製造方法は、背表紙と、背表紙の幅方向の一方側に連続して形成される表表紙と、背表紙の幅方向の他方側に連続して形成される裏表紙とを含み、背表紙に、被挟体を挟む保挟シートが並んで固着されたファイルの製造方法であって、表表紙及び裏表紙に連設される、円弧状の角部の内側において、表表紙側の一方の保形部及び裏表紙側の他方の保形部を形成された背表紙を準備し、第１の保挟シートと第２の保挟シートとを有し、前記第１の保挟シートは、長方形の挟持シート部と前記挟持シート部の端部から前記背表紙の内側と前記複数の第２の保挟シートの端部との間にわたって溶着連結体が形成され、前記溶着連結体が、背表紙の幅と略々同一の幅を備えている保挟シートを準備し、前記保挟シートを、被挟体の厚さに対応した間隔をおいて、背表紙側の端縁において互いに並んで溶着連結体に溶着して連結する、溶着工程と、被挟体を挟むときには並んだ保挟シートの対向面の間に被挟体を保持する形状を維持されるように保形され、且つ被挟体を取り外すときには、保挟シートののびる側に向けてわん曲するように柔軟に形成されたわん曲部を背表紙領域に形成する、わん曲部形成工程と、前記溶着連結体を、前記一方の保形部及び他方の保形部に溶着する溶着連結体溶着工程とを含み、背表紙は、幅方向における中間の領域において、高さ方向に連続する一定の幅のわん曲部を形成され、前記わん曲部に保挟シートを固着された、背表紙部を有し、保挟シートは、被挟体の厚さに対応した間隔をおいて、背表紙側の端縁において互いに熱溶着されて並んで連結されてわん曲部を構成し、背表紙部は、表表紙の内側と裏表紙の内側との間の溶着連結体に前記保挟シートの連結部を熱溶着されて、ファイル表紙体の幅方向における中間の領域において、高さ方向に連続する一定の幅のわん曲部を形成され、保挟シートは、被挟体を挟むときには、溶着連結体に固着された領域において、隣接する他の保挟シートとの間に被挟体を保持し、溶着連結体から突き出た領域において被挟体の表面に接し合うように形成され、被挟体を取り外すときには、溶着連結体に固着された領域における隣接する他の保挟シートとの間隔が広がり、被挟体を指先で挟み持ち取り出すことができるように形成された、ファイルを製造する、ファイルの製造方法である。
この発明の請求項１０にかかるファイルの製造方法においては、前記保挟シート及び表表紙の内側と裏表紙の内側との間に形成された架設連結部は、熱可塑性合成樹脂シートであり、保挟シートの端縁を熱溶融して架設連結部に固着され、保挟シートの端縁を熱溶融するときに同時に又は後に保挟シートの連結部の領域及び前記架設連結部をわん曲してわん曲部を形成する、請求項７又は請求項８に記載のファイルの製造方法である。
【発明の効果】
【０００８】
この発明にかかるファイルによれば、用紙やカード等を挟み込んだときに、取り外し易いファイルを得ることができる。
請求項５の発明によれば、前記保挟シートの連結部又は溶着連結体は、幅方向における一端において表表紙に接続され且つ幅方向における他端において裏表紙に接続されて、背表紙部を形成したファイルの表紙体を構成し、表表紙の内側と裏表紙の内側との間において接続されて、ファイル表紙体の幅方向における中間の領域において、高さ方向に連続する一定の幅のわん曲部を形成され、閉じられた表表紙の内側面と裏表紙の内側面との間の距離よりわん曲部の幅の方が短くなるように構成され、被挟体を挟むときには、平面状又は保挟シートののびる側若しくは保挟シートののびる側とは反対側に向けてわん曲した形状を維持されるように保形され、且つ表表紙及び裏表紙を開くときに、保挟シートののびる方向に向けてわん曲するように形成されているので、被挟体を挟むときには、連結部及び溶着連結体の領域において、隣接する他の保挟シートとの間に被挟体を保持し、連結部及び溶着連結体から突き出た領域において被挟体の表面に接し合うように形成され、被挟体を取り外すときには、連結部及び溶着連結体に固着された領域における隣接する他の保挟シートとの間隔が広がり、被挟体を指先で挟み持ち取り外すことができる。
この発明にかかるファイルの製造方法によれば、用紙やカード等を挟み込んだときに、取り外し易いファイルを得ることができる。
請求項１０の発明によれば、前記保挟シート及び表表紙の内側と裏表紙の内側との間に形成された架設連結部が、熱可塑性合成樹脂シートであり、保挟シートの端縁を熱溶融して架設連結部に固着され、保挟シートの端縁を熱溶融するときに同時に又は後に保挟シートの連結部の領域及び前記架設連結部をわん曲してわん曲部を形成するので、わん曲部は、被挟体を挟むときには、連結部及び溶着連結体の領域において、隣接する他の保挟シートとの間に被挟体を保持し、連結部及び溶着連結体から突き出た領域において被挟体の表面に接し合うように形成され、被挟体を取り外すときには、連結部及び溶着連結体に固着された領域における隣接する他の保挟シートとの間隔が広がり、被挟体を指先で挟み持ち取り外すことができる。
【０００９】
この発明の上述の目的，その他の目的，特徴及び利点は、図面を参照して行う以下の発明を実施するための最良の形態の説明から一層明らかとなろう。
【図面の簡単な説明】
【００１０】
【図１】この発明にかかるファイルの一例を示す斜視図である。
【図２】図１に示すファイルに用いられる表紙を示す平面図である。
【図３】表紙を閉じた状態を示す正面図解図であり、（Ａ）は図２Ａ−Ａ断面図解図であり、（Ｂ）は図２Ｂ−Ｂ断面図解図である。
【図４】表紙を開いた状態を示す正面図解図である。
【図５】図１に示すファイルの製造工程において、表紙を準備する工程を示す図解図である。
【図６】図５に示す表紙の要部を示す平面図である。
【図７】保挟シートと合紙とを積層する工程を示す図解図である。
【図８】保挟シートの平面図である。
【図９Ａ】背表紙に保挟シートを溶着する工程を示す斜視図解図である。
【図９Ｂ】背表紙に保挟シートを溶着する製本装置の図解図である。
【図９Ｃ】背表紙に保挟シートを溶着する工程を示す断面図解図である。
【図９Ｄ】背表紙に保挟シートを溶着する工程を示す断面図解図である。
【図９Ｅ】背表紙に保挟シートを溶着する工程を示す断面図解図である。
【図１０】表紙の背表紙に保挟シートを溶着したときの表紙の要部を示す平面図である。
【図１１】図１図示実施の形態の変形例の表紙を閉じた状態を示す正面図解図である。
【図１２】図１図示実施の形態の変形例の表紙を開いた状態を示す正面図解図である。
【図１３】背表紙をわん曲する工程を示す断面図解図である。
【図１４】この発明にかかるファイルの一例を示す斜視図である。
【図１５】図１４に示すファイルに用いられる表紙を示す平面図である。
【図１６】図１５に示す表紙のＡ−Ａ断面図であり、（Ａ）はのばした状態を示し、（Ｂ）は表表紙側及び裏表紙側を対向するように屈曲した状態を示す。
【図１７】表紙を閉じた状態を示す正面図解図である。
【図１８】表紙を開いた状態を示す正面図解図である。
【図１９】図１４に示すファイルの製造工程において、表紙を準備する工程を示す図解図である。
【図２０】図１９に示す表紙の要部を示す平面図である。
【図２１】保挟シートと合紙とを積層する工程を示す図解図である。
【図２２】「ａ」の指標が表示されたインデックスを有する保挟シートの平面図である。
【図２３】「ｂ」の指標が表示されたインデックスを有する保挟シートの平面図である。
【図２４】「ｅ」の指標が表示されたインデックスを有する保挟シートの平面図である。
【図２５Ａ】背表紙に保挟シートを溶着する工程を示す斜視図解図である。
【図２５Ｂ】背表紙に保挟シートを溶着する製本装置の図解図である。
【図２５Ｃ】背表紙に保挟シートを溶着する工程を示す断面図解図である。
【図２５Ｄ】背表紙に保挟シートを溶着する工程を示す断面図解図である。
【図２５Ｅ】背表紙に保挟シートを溶着する工程を示す断面図解図である。
【図２５Ｆ】背表紙をわん曲する工程を示す断面図解図である。
【図２６】表紙の背表紙に保挟シートを溶着したときの表紙の要部を示す平面図である。
【図２７】図１４図示実施の形態の変形例の保挟シートと合紙とを積層する工程を示す図解図である。
【図２８】図１４図示実施の形態の変形例の「ａ」の指標が表示されたインデックスを有する保挟シートの平面図である。
【図２９】図１４図示実施の形態の変形例の「ｂ」の指標が表示されたインデックスを有する保挟シートの平面図である。
【図３０】図１４図示実施の形態の変形例の「ｅ」の指標が表示されたインデックスを有する保挟シートの平面図である。
【図３１Ａ】背表紙に保挟シートを溶着する製本装置の図解図である。
【図３１Ｂ】背表紙に保挟シートを溶着する工程を示す断面図解図である。
【図３１Ｃ】背表紙に保挟シートを溶着する工程を示す断面図解図である。
【図３１Ｄ】背表紙に保挟シートを溶着する工程を示す断面図解図である。
【図３１Ｅ】背表紙をわん曲する工程を示す断面図解図である。
【図３２】図１４図示実施の形態の変形例を示すファイルの斜視図解図である。
【図３３】図１４図示実施の形態の変形例を示すファイルの表紙の断面図解図である。
【図３４】保挟シートの変形例を示す正面図解図である。
【図３５】保挟シートの変形例を示す正面図解図である。
【図３６】ファイルの説明図である。
【発明を実施するための形態】
【００１１】
図１は、この発明にかかるファイルの一例を示す斜視図であり、図２は、図１に示すファイルに用いられる表紙を示す平面図であり、図３は、表紙を閉じた状態を示す正面図解図であり、（Ａ）は図２Ａ−Ａ断面図解図であり、（Ｂ）は図２Ｂ−Ｂ断面図解図であり、図４は、表紙を開いた状態を示す正面図解図であり、図５は、図１に示すファイルの製造工程において、表紙を準備する工程を示す図解図であり、図６は、図５に示す表紙の要部を示す平面図である。
このファイル１０は、たとえば、アイウエオ順や指標順などに整理された書類や証書・カード類を管理するために用いられる。
ファイル１０は、熱可塑性樹脂などの合成樹脂シートで形成された表紙１２を含む。表紙１２は、図２に示すように、長方形状の背表紙１４と、背表紙１４の幅方向の一方側に連続して形成される表表紙１６と、背表紙１４の幅方向の他方側に連続して形成される裏表紙１８とを含む。
表表紙１６は、たとえば長方形に形成され、その幅方向の一端側が背表紙１４に連結されている。
また、裏表紙１８は、たとえば、幅方向の一端側が円弧状に形成されるとともに、他の３辺が直線状に形成される。
そして、裏表紙１８の円弧状部分の反対側の端部が、背表紙１４に連結されている。
この実施の形態では、背表紙１４、表表紙１６及び裏表紙１８は、たとえばシート状の材料を切断することにより、一体的に形成される。
【００１２】
背表紙１４は、書類や証書・カード類などの被挟体Ｘの厚さに対応した間隔をおいて、被挟体Ｘを挟む保挟シート３０が並んで固着されている。
保挟シート３０は、隣接する保挟シート３０の対向面の間に一定の間隔をおいて、背表紙１４を構成する合成樹脂シートの内側に固着されている。
【００１３】
保挟シート３０は、被挟体Ｘの厚さに対応した間隔をおいて、背表紙１４側の端縁において互いに熱溶着されて並んで連結され、保挟シート３０の前記連結された連結部３０ａは、被挟体Ｘを挟むときには並んだ保挟シート３０の対向面の間に被挟体Ｘを保挟する形状を維持されるように保形され、且つ被挟体Ｘを取り外すときには、保挟シート３０ののびる側に向けてわん曲されるように柔軟に形成されている。
【００１４】
保挟シート３０は、被挟体Ｘを挟むときには、連結部３０ａの領域において、隣接する他の保挟シート３０との間に被挟体Ｘを保持し、連結部３０ａから突き出た領域において被挟体Ｘの表面に接し合うように形成され、被挟体Ｘを取り外すときには、連結部３０ａの領域における隣接する他の保挟シート３０との間隔が広がり、被挟体Ｘを指先で挟み持ち取り外すことができるように形成されている。
【００１５】
背表紙１４は、ファイル１０の表紙体を構成し、円弧状の角部を介して表表紙１６及び裏表紙１８に連設されている。
背表紙１４は、円弧状の角部の内側において、表表紙１６側の保形部１４ａ及び裏表紙１８側の保形部１４ｂを形成されている。
【００１６】
背表紙１４は、表表紙１６及び裏表紙１８とを連結する角部より、一定の距離をおいた内側において、その長手方向の上端側から下端側まで並ぶように、複数の４角形の貫通孔２０が形成される。
背表紙１４は、背表紙１４の幅方向における貫通孔２０のＡ面側孔縁２０ａと貫通孔２０のＢ面側孔縁２０ｂとを有する。
複数の貫通孔２０のＡ面側孔縁２０ａは、背表紙１４の高さ方向において、直線状に並び、且つ複数の貫通孔２０のＢ面側孔縁２０ｂは、背表紙１４の高さ方向において、直線状に並ぶ。
そして、Ａ面側孔縁２０ａの表表紙１６側に保形部１４ａが形成され、Ｂ面側孔縁２０ｂの裏表紙１８側に保形部１４ｂが形成されている。
そして、複数の貫通孔２０の間には、表表紙１６の内側と裏表紙１８の内側との間において、保形部１４ａと保形部１４ｂとの間に架設された帯状の架設連結部２２が形成される。
【００１７】
背表紙１４は、幅方向における中間の領域において、高さ方向に連続する一定の幅のわん曲部１４Ａを形成され、前記わん曲部１４Ａに保挟シート３０を固着されて、背表紙部を構成する。
保挟シート３０は、被挟体Ｘの厚さに対応した間隔をおいて並列され、背表紙１４のわん曲部１４Ａを構成している。
保挟シート３０及び背表紙１４は、熱可塑性合成樹脂シートであり、保挟シート３０の端縁を熱溶融して背表紙１４に固着され、わん曲部１４Ａを構成している。
【００１８】
背表紙部は、表表紙１６の内側と裏表紙１８の内側との間に形成された架設連結部２２に前記保挟シート３０の連結部３０ａを熱溶着されて、ファイル表紙体の幅方向における中間の領域において、高さ方向に連続する一定の幅のわん曲部１４Ａを形成され、背表紙部を構成するように形成されている。
この実施の形態においては、わん曲部１４Ａは、表表紙１６側の保形部１４ａと裏表紙１８側の保形部１４ｂとの間である、Ａ面側孔縁２０ａとＢ面側孔縁２０ｂとの間において、構成されている。
【００１９】
背表紙部は、閉じられた表表紙１６の内側面と裏表紙１８の内側面との間の距離Ｗ0より、わん曲部１４Ａの幅Ｗ1の方が短くなるように構成されている。
そして、わん曲部１４Ａは、被挟体Ｘを挟むときには、平面状の形状を維持されるように保形され、且つ表表紙１６及び裏表紙１８を開くときには、保挟シート３０ののびる方向に向けてわん曲するように形成されている（図３及び図４図示）。
前記保挟シート３０の連結部３０ａは、表表紙１６及び裏表紙１８より全体的に柔軟であり、被挟体Ｘを挟むときには、平面状を維持されるように保形され、且つ表表紙１６及び裏表紙１８を開くときに、表表紙１６と裏表紙１８との間の間隔は縮まり、保挟シート３０ののびる方向に向けてわん曲するように形成されている。
この実施の形態においては、架設連結部２２及び連結部３０ａ含むわん曲部１４Ａは、背表紙１４の保形部１４ａ及び保形部１４ｂより全体的に柔らかく構成されている。
わん曲部１４Ａは、表紙１２を開くとき、保形力に優る保形部１４ａ及び保形部１４ｂの内側縁すなわちＡ面側孔縁２０ａ及びＢ面側孔縁２０ｂを中心にして、保挟シート３０ののびる側に向けてわん曲してアーチ状になるように、構成されている。
【００２０】
保挟シート３０は、被挟体Ｘを挟むときには、連結部３０ａの領域において、隣接する他の保挟シート３０との間に被挟体Ｘを保持し、連結部３０ａから突き出た領域において被挟体Ｘの表面に接し合うように形成され、被挟体Ｘを取り外すときには、連結部３０ａに固着された領域における隣接する他の保挟シート３０との間の間隔が広がり、指先で挟み持って被挟体Ｘを取り出すことができるように形成されている。
【００２１】
湾曲するわん曲部１４Ａを有する背表紙１４の内側には、複数の保挟シート３０が形成される。
保挟シート３０は、たとえば熱可塑性樹脂などで長方形状に形成される。つまり、保挟シート３０の幅方向の一端側は、背表紙１４の内側に密着するように、長手方向において直線状となるように形成される。
そして、隣接する保挟シート３０が所定の間隔を隔てて配置されるようにして、保挟シート３０の幅方向の一端側が、背表紙１４に溶着される。このとき、背表紙１４の架設連結部２２に保挟シート３０が溶着されるが、貫通孔２０部分においては、図３に示すように、保挟シート３０の端部が溶融して、隣接する保挟シート３０の端部を連結する連結部３０ａが形成される。
表表紙１６と裏表紙１８との間において、表紙１２を閉じたとき、背表紙１４と連結された連結部３０ａにおいては、それぞれの保挟シート３０が互いに間隔を隔てているが、背表紙１４から離れた部分においては、表表紙１６と裏表紙１８との間において全ての保挟シート３０が密着した状態となる。
【００２２】
保挟シート３０には、たとえば２つの円形の貫通孔３２が形成される。貫通孔３２は、たとえば保挟シート３０の幅方向における中央において上下に分かれた位置に形成される。
【００２３】
さらに、図５に示すように、背表紙１４の外面側を覆うように、表紙１２の長手方向の上端から下端まで、背見出し６０が形成される。背見出し６０は、たとえば透明な長方形状の熱可塑性フィルムを背表紙１４と平行な位置で表表紙１６及び裏表紙１８に溶着することにより形成される。そして、背見出し６０に背見出し紙６２を挿入することにより、必要な情報を表示することができる。このとき、裏表紙１８側よりも表表紙１６側のほうに多くの背見出し６０がくるようにすることにより、表表紙１６側から背見出し紙６２に表示された情報が確認しやすくなる。
【００２４】
このようなファイル１０を作製する方法について、主として図６ないし図１０に基づいて次に説明する。
被挟体Ｘの厚さに対応した間隔をおいて、保挟シート３０が並んで固着されたファイル１０の製造方法は、保挟シート３０を、被挟体Ｘの厚さに対応した間隔をおいて、背表紙１４側の端縁において互いに並んで熱溶着して連結して連結部３０ａを形成する、溶着工程と、被挟体Ｘを挟むときには並んだ保挟シート３０の対向面の間に被挟体Ｘを保持する形状を維持されるように保形され、且つ被挟体Ｘを取り外すときには、保挟シート３０ののびる側に向けてわん曲するように柔軟に形成されたわん曲部１４Ａを背表紙１４領域に形成する、わん曲部形成工程とを含む。
【００２５】
まず、図６に示すように、表紙１２が準備される。次に、図７に示すように、複数の保挟シート３０が準備される。保挟シート３０の大きさは、ファイル１０に保管する書類の大きさより大きくなるように設定される。
【００２６】
それぞれの保挟シート３０において、複数の円形の貫通孔３２のうちの対応するものは、保挟シート３０の長手方向の同じ位置に形成される。また、それぞれの保挟シート３０において、複数の円形の貫通孔３２のうちの対応するものは、保挟シート３０の連結部３０ａとは反対側の幅方向端部（取り出し側側縁３０ｂ）から等距離となる位置に形成される。
したがって、幅の異なる保挟シート３０であっても、長手方向の端部及び連結部３０ａの幅方向端部を揃えて重ねることにより、全ての保挟シート３０の貫通孔３２を揃えることができる。
【００２７】
このように配置された保挟シート３０の間に、隔幅部材としての合紙７０が挟み込まれる。合紙７０は、図７に示すように、所定の厚みを有する長方形状に形成される。合紙７０の長手方向の長さは、保挟シート３０の長手方向と同じ長さとなるように形成される。そして、合紙７０の長手方向の両端に、一部が突出する突出部７０ａが形成される。また、合紙７０の幅方向の長さは、たとえば保挟シート３０の幅方向の長さより短くなるように形成される。
【００２８】
合紙７０には、２つの貫通孔７２が形成される。合紙７０の貫通孔７２は、保挟シート３０の２つの貫通孔３２に対応して形成される。つまり、保挟シート３０の長手方向と合紙７０の長手方向とを合わせるとともに、取り出し側側縁３０ｂである保挟シート３０の幅方向端部と合紙７０の幅方向の一端側とを合わせるようにして、保挟シート３０と合紙７０とを重ねたとき、保挟シート３０の２つの貫通孔３２と合紙７０の貫通孔７２とが重なるように形成される。このような合紙７０を複数の保挟シート３０の間に挟み込み、保挟シート３０の貫通孔３２と合紙７０の貫通孔７２とを揃えることにより、全ての保挟シート３０について、連結部３０ａ側の端部が揃うように配置することができる。
【００２９】
次に、図１０に示すように、表紙１２の背表紙１４に保挟シート３０が溶着される。このとき、背表紙１４が平らになるように、表紙１２が保持される。そして、表紙１２の架設連結部２２が形成された領域の内側において、保挟シート３０の幅方向端部が背表紙１４側に配置される。
この状態で、背表紙１４と保挟シート３０の対向部を溶融したのち互いを押し当てて溶着することにより、架設連結部２２部分において、保挟シート３０の幅方向端部が接続され、背表紙１４の貫通孔２０部分において、保挟シート３０の端部間に連結部３０ａが形成される。このように、合紙７０を挟んで保挟シート３０を背表紙１４に溶着することにより、隣接する保挟シート３０間に合紙７０の厚み分の隙間を形成することができる。
【００３０】
連結部３０ａは、背表紙１４の幅方向における貫通孔２０のＡ面側孔縁２０ａの表表紙１６側の保形部１４ａの周縁近傍及びＢ面側孔縁２０ｂの裏表紙１８側の保形部１４ｂの周縁近傍並びに幅方向における手前側孔縁２０ｃの手前側の架設連結部２２の周縁近傍及び向こう側孔縁２０ｄの向こう側の架設連結部２２の周縁近傍に溶着されている。
更に、連結部３０ａは、背表紙１４及び架設連結部２２との溶着時に加熱されたとき、加熱によって溶融し始め、柔軟になった連結部３０ａが貫通孔２０の孔の中に入り込み、貫通孔２０の孔縁と密着する。すなわち、貫通孔２０のＡ面側孔縁２０ａ、Ｂ面側孔縁２０ｂ、手前側孔縁２０ｃ及び向こう側孔縁２０ｄと接着する。
【００３１】
次に、図３，図４及び図５に示すように、表紙１２には、保挟シート３０が溶着された側と反対側に長方形状の透明な樹脂フィルムが溶着され、背見出し６０が形成される。ここで、上述のように、表表紙１６側が裏表紙１８側より多く背見出し６０で覆われるようにして、背見出し６０の幅方向の両側が表紙１２に溶着される。この背見出し６０に、背見出し紙６２が挿入される。次に、突出部７０ａを利用して合紙７０を引き抜くことにより、保挟シート３０間の合紙７０が除去される。
【００３２】
このようにして得られたファイル１０は、たとえば２０種類のカード又は書類管理用ファイルとして用いられる。表紙１２を閉じれば、隣接する保挟シート３０によって被挟体Ｘが押し付けられ、被挟体Ｘはファイル１０から外れることなく保持される。被挟体Ｘが複数枚の場合であっても、隣接する保挟シート３０間に合紙７０の厚み分の隙間があるため、被挟体Ｘをまとめて保挟シート３０間に保持することができる。
【００３３】
ファイル１０に保持した書類を取り出すときには、必要とする保挟シート３０を開くことにより、被挟体Ｘを取り外すことができる。
ここで、保挟シート３０には円形の貫通孔３２が形成されているため、保挟シート３０と被挟体Ｘとの間が真空状態となって、保挟シート３０に被挟体Ｘが貼り付くことを防止することができる。このように、このファイル１０は、隣接する保挟シート３０間に書類を挟み込むだけで保持することができるため、被挟体Ｘの出し入れが容易である。
【００３４】
このように、このファイル１０を用いれば、指標に準じて必要な書類を管理することができる。
なお、保挟シート３０の数は任意に変更可能であり、たとえば１週間分の書類を管理するのであれば、「１」から「７」までの指標が表示されたインデックス４３４を有する保挟シート３０と、ドットが表示されたインデックス４３４を有する保挟シート３０とを用いればよい。
また、２週間分の書類を管理するのであれば、「１」から「１４」までの指標が表示されたインデックス４３４を有する保挟シート３０と、ドットが表示されたインデックス４３４を有する保挟シート３０を用いればよい。
さらに、インデックス４３４の表示としては、指標に限らず、ファイル１０の用途に応じて他の項目を表示してもよい。
【００３５】
この発明は、この発明思想に基づき種々変更することができる。
保挟シート３０は、図１１ないし図１３において示すように、変形してもよい。
【００３６】
前記保挟シート３０の連結部３０ａは、幅方向における一端において表表紙１６に接続され且つ幅方向における他端において背表紙１４に接続されて、背表紙部を形成したファイル１０の表紙体を形成し、連結部３０ａは、表表紙１６及び裏表紙１８より全体的に柔軟であり、被挟体Ｘを挟むときには、保挟シート３０ののびる側とは反対側に向けてわん曲した形状を維持されるように保形され、且つ表表紙１６及び裏表紙１８を開くときに、表表紙１６と裏表紙１８との間の間隔は縮まり、保挟シート３０ののびる方向に向けてわん曲するように形成されてもよい。
【００３７】
この変形例の被挟体Ｘを挟む保挟シート３０が並んで固着されたファイル１０の製造方法は、保挟シート３０を、被挟体Ｘの厚さに対応した間隔をおいて、背表紙１４側の端縁において互いに並んで熱溶着して連結して連結部３０ａを形成する、溶着工程と、被挟体Ｘを挟むときには並んだ保挟シート３０の対向面の間に被挟体Ｘを保持する形状を維持されるように保形され、且つ被挟体Ｘを取り外すときには、保挟シート３０ののびる側に向けてわん曲するように柔軟に形成されたわん曲部１４Ａを背表紙１４領域に形成する、わん曲部形成工程とを含む。
【００３８】
前記保挟シート３０及び表表紙１６の内側と裏表紙１８の内側との間に形成された架設連結部２２は、熱可塑性合成樹脂シートであり、保挟シート３０の端縁を熱溶融して架設連結部２２に固着され、保挟シート３０の端縁を熱溶融するときに同時に又は後に保挟シート３０の連結部３０ａの領域及び前記架設連結部２２をわん曲してわん曲部１４Ａを形成する。
【００３９】
背表紙１４は、図１３において示すように、保挟シート３０の端縁を熱溶融するときに同時に又は後に保挟シート３０が固着される領域をわん曲して、わん曲部１４Ａを形成するように、背表紙１４の保挟シート３０が固着された面とは反対側の（背中合わせの側）面に円弧状面を有する治具を押しあて、加熱して背表紙１４を構成する合成樹脂シートをわん曲させる。
【００４０】
図１４は、この発明にかかるファイルの一例を示す斜視図であり、図１５は、図１４に示すファイルに用いられる表紙を示す平面図であり、図１６は、図１５に示す表紙のＡ−Ａ断面図であり、（Ａ）はのばした状態を示し、（Ｂ）は表表紙側及び裏表紙側を対向するように屈曲した状態を示す図であり、図１７は、表紙を閉じた状態を示す正面図解図であり、図１８は、表紙を開いた状態を示す正面図解図であり、図１９は、図１４に示すファイルの製造工程において、表紙を準備する工程を示す図解図である。
このファイル４１０は、たとえば、アイウエオ順や指標順などに整理された書類や証書・カード類を管理するために用いられる。
ファイル４１０は、熱可塑性樹脂などの合成樹脂シートで形成された表紙４１２を含む。表紙４１２は、図１５に示すように、長方形状の背表紙４１４と、背表紙４１４の幅方向の一方側に連続して形成される表表紙４１６と、背表紙４１４の幅方向の他方側に連続して形成される裏表紙４１８とを含む。
【００４１】
表表紙４１６は、たとえば長方形に形成され、その幅方向の一端側が背表紙４１４に連結されている。
また、裏表紙４１８は、たとえば、幅方向の一端側が円弧状に形成されるとともに、他の３辺が直線状に形成される。
そして、裏表紙４１８の円弧状部分の反対側の端部が、背表紙４１４に連結されている。
この実施の形態では、裏表紙４１８の幅は、表表紙４１６の幅より大きくなるように形成される。背表紙４１４、表表紙４１６及び裏表紙４１８は、たとえばシート状の材料を切断することにより、一体的に形成される。
【００４２】
背表紙４１４は、書類や証書・カード類などの被挟体Ｘの厚さに対応した間隔をおいて、被挟体Ｘを挟む保挟シート４３０が複数並んで固着されている。
保挟シート４３０は、被挟体Ｘの厚さに対応した間隔をおいて、背表紙４１４側の端縁において互いに熱溶着されて並んで連結され、保挟シート４３０の前記連結された連結部４３０ａは、被挟体Ｘを挟むときには並んだ保挟シート４３０の対向面の間に被挟体Ｘを保挟する形状を維持されるように保形され、且つ被挟体Ｘを取り外すときには、保挟シート４３０ののびる側に向けて更にわん曲されて被挟体Ｘを挟むときに比して曲率半径が小さくなるように、全体的に柔軟に形成されている。
【００４３】
前記保挟シート４３０は、幅方向における一端において表表紙４１６に接続され且つ幅方向における他端において背表紙４１４に接続されて、背表紙部を形成したファイルの表紙体を形成している。
【００４４】
連結部４３０ａは、表表紙４１６及び裏表紙４１８より全体的に柔軟であり、被挟体Ｘを挟むときには、保挟シート４３０ののびる側に向けてわん曲した形状を維持されるように保形され、且つ表表紙４１６及び裏表紙４１８を開くときに、表表紙４１６と裏表紙４１８との間の間隔は縮まり、保挟シート４３０ののびる方向に向けてわん曲するように形成されている。
【００４５】
背表紙４１４は、ファイル４１０の表紙体を構成し、円弧状の角部を介して表表紙４１６及び裏表紙４１８に連設されている。
背表紙４１４は、円弧状の角部の内側において、表表紙４１６側の保形部４１４ａ及び裏表紙４１８側の保形部４１４ｂを形成されている。
【００４６】
背表紙４１４は、その長手方向の上端側から下端側まで並ぶように、複数の４角形の貫通孔４２０が形成される。
背表紙４１４は、背表紙４１４の幅方向における貫通孔４２０のＡ面側孔縁４２０ａと貫通孔４２０のＢ面側孔縁４２０ｂとを有する。
複数の貫通孔４２０のＡ面側孔縁４２０ａは、背表紙４１４の高さ方向において、直線状に並び、且つ複数の貫通孔４２０のＢ面側孔縁４２０ｂは、背表紙４１４の高さ方向において、直線状に並ぶ。
そして、Ａ面側孔縁４２０ａの表表紙４１６側に保形部４１４ａが形成され、Ｂ面側孔縁４２０ｂの裏表紙４１８側に保形部４１４ｂが形成されている。
そして、貫通孔４２０の間には、表表紙４１６の内側と裏表紙４１８の内側との間において、保形部４１４ａと保形部４１４ｂとの間に架設された帯状の架設連結部４２２が形成される。
【００４７】
背表紙４１４は、ファイル４１０の表紙体を構成し、幅方向における中間の領域において、高さ方向に連続する一定の幅のわん曲部４１４Ａを形成され、前記わん曲部４１４Ａに保挟シート４３０を固着されて、背表紙部を構成する。
保挟シート４３０は、背表紙４１４のわん曲した形状のわん曲部４１４Ａの幅方向に、被挟体Ｘの厚さに対応した間隔をおいて並列され、保挟シート４３０の連結部４３０ａは、背表紙４１４のわん曲部４１４Ａを構成している。
保挟シート４３０及び背表紙４１４は、熱可塑性合成樹脂シートであり、保挟シート４３０の端縁を熱溶融して背表紙４１４に固着され、背表紙４１４は、保挟シート４３０の端縁を熱溶融するときに同時に又は後に保挟シート４３０が固着される領域をわん曲されて、わん曲部４１４Ａを形成されている。
【００４８】
背表紙４１４は、被挟体Ｘを挟むときには保挟シート４３０を固着した保挟シート４３０の突き出た側に向けてわん曲した形状を維持されるように保形され、且つ被挟体Ｘを取り外すときには、保挟シート４３０ののびる側に向けて更にわん曲されて被挟体Ｘを挟むときに比して曲率半径が小さくなるように柔軟に形成された、わん曲部４１４Ａを備える。
わん曲部４１４Ａは、表紙４１２を閉じたとき、保挟シート４３０ののびる側に膨らむ円弧状であり、表紙４１２を開いたとき、保挟シート４３０ののびる側に膨らむ円弧状であるが、閉じたときの円弧の径より開いたときの円弧の径の方が短くなるように構成されている。
【００４９】
保挟シート４３０は、被挟体Ｘを挟むときには、連結部４３０ａの領域において、隣接する他の保挟シート４３０との間に被挟体Ｘを保持し、連結部４３０ａから突き出た領域において被挟体Ｘの表面に接し合うように形成され、被挟体Ｘを取り外すときには、連結部４３０ａに固着された領域における隣接する他の保挟シート４３０との間の間隔が広がり、指先で挟み持って被挟体Ｘを取り出すことができるように形成されている。
【００５０】
背表紙部は、表表紙４１６の内側と裏表紙４１８の内側との間に形成された架設連結部４２２に前記保挟シート４３０の連結部４３０ａ及び溶着連結体４４４を熱溶着されて、ファイル表紙体の幅方向における中間の領域において、高さ方向に連続する一定の幅のわん曲部４１４Ａを形成され、背表紙部を構成するように形成されている。
この実施の形態においては、わん曲部４１４Ａは、表表紙４１６側の保形部４１４ａと裏表紙４１８側の保形部４１４ｂとの間である、Ａ面側孔縁４２０ａとＢ面側孔縁４２０ｂとの間において、構成されている。
【００５１】
背表紙部は、閉じられた表表紙４１６の内側面と裏表紙４１８の内側面との間の距離Ｗ0より、わん曲部４１４Ａの幅Ｗ1の方が短くなるように構成されている。そして、わん曲部４１４Ａは、被挟体Ｘを挟むときには、並んだ保挟シート４３０の対向面の間に被挟体Ｘを保挟する形状を維持されるように且つ保挟シート４３０ののびる側に向けてわん曲した形状を維持されるように保形されるとともに、表表紙４１６及び裏表紙４１８を開くときには、保挟シート４３０ののびる方向に向けて更にわん曲してアーチ状に曲がるように形成されている（図１７及び図１８図示）。
前記保挟シート４３０の連結部４３０ａは、表表紙４１６及び裏表紙４１８より全体的に柔軟であり、被挟体Ｘを挟むときには、並んだ保挟シート４３０の対向面の間に被挟体Ｘを保挟する形状を維持されるように且つ保挟シート４３０ののびる側に向けてわん曲した形状を維持されるように保形されるとともに、表表紙４１６及び裏表紙４１８を開くときに、表表紙４１６と裏表紙４１８との間の間隔は縮まり、保挟シート４３０ののびる方向に向けて更にわん曲してアーチ状に曲がるように形成されている。
この実施の形態においては、架設連結部４２２及び連結部４３０ａ含むわん曲部４１４Ａは、背表紙４１４の保形部４１４ａ及び保形部４１４ｂより全体的に柔らかく構成されている。
表紙４１２を開くとき、保形力に優る保形部４１４ａ及び保形部４１４ｂの内側縁すなわちＡ面側孔縁４２０ａ及びＢ面側孔縁４２０ｂを中心にして、わん曲部４１４Ａは、保挟シート４３０ののびる側に向けてわん曲してアーチ状になるように、構成されている。
【００５２】
背表紙４１４と表表紙４１６との間及び背表紙４１４と裏表紙４１８との間には、表紙４１２の上端から下端にわたってヒンジ溝４２４が形成される。さらに、ヒンジ溝４２４から間隔を隔ててヒンジ溝４２４と平行に、表表紙４１６及び裏表紙４１８の上端から下端にわたって別のヒンジ溝４２４が形成される。ヒンジ溝４２４は、図１６に示すように、表紙４１２の一方面及び他方面に形成される。
背表紙４１４は、溝４２４の内側に、表表紙４１６側の保形部４１４ａ及び裏表紙４１８側の保形部４１４ｂを形成されている。
【００５３】
背表紙４１４は、図１６において示すように、表紙４１２の一方面側においては、略円弧状の断面形状を有する第１の溝４２４ａが形成される。また、表紙４１２の他方面側においては、若干窪んだ断面形状を有する第２の溝４２４ｂが形成される。そして、第１の溝４２４ａの形成された側が表側となり、第２の溝４２４ｂの形成された側が内側となるように、表紙４１２が折りたたまれる。
【００５４】
断面円弧状の第１の溝４２４ａ側は比較的自由に変形するが、断面窪み状の第２の溝４２４ｂ側の自由度は低いため、表紙４１２を折りたたむと、表表紙４１６及び裏表紙４１８によって背表紙４１４に応力がかかる。背表紙４１４に形成された貫通孔４２０により帯状に形成された架設連結部４２２は、表表紙４１６や裏表紙４１８に比べて応力に弱いため、保挟シート４３０を固着した固着面側である内側に向かって凹むように湾曲する。なお、第１の溝４２４ａと第２の溝４２４ｂとの間の間隔が小さい場合、溝４２４部分で表紙４１２が折れ曲がりやすく、背表紙４１４が湾曲しにくくなる。また、第１の溝４２４ａと第２の溝４２４ｂとの間の間隔が大きい場合、溝４２４部分で表紙４１２が折れ曲がりにくくなる。そのため、表紙４１２を閉じたときに、表表紙４１６と裏表紙４１８とが開いた状態となったり、背表紙４１４が応力に耐えられなくなり、架設連結部４２２の中央部で折れ曲がって背表紙４１４が湾曲しなくなったりする。そのため、第１の溝４２４ａと第２の溝４２４ｂとの間の間隔は、背表紙４１４がきれいに湾曲するような間隔となるように設定される。
【００５５】
湾曲する帯状連結体を構成する背表紙４１４の内側には、複数の保挟シート４３０が形成される。保挟シート４３０は、たとえば熱可塑性樹脂などで長方形状に形成される。つまり、保挟シート４３０の幅方向の一端側は、背表紙４１４の内側に密着するように、長手方向において直線状となるように形成される。そして、隣接する保挟シート４３０が所定の間隔を隔てて配置されるようにして、保挟シート４３０の幅方向の一端側が、背表紙４１４に溶着される。このとき、背表紙４１４の架設連結部４２２に保挟シート４３０が溶着されるが、貫通孔４２０部分においては、図１７に示すように、保挟シート４３０の端部が溶融して、隣接する保挟シート４３０の端部を連結する連結部４３０ａが形成される。表表紙４１６と裏表紙４１８との間において、表紙４１２を閉じたとき、背表紙４１４との溶着連結体４４４においては、それぞれの保挟シート４３０が互いに間隔を隔てているが、背表紙４１４から離れた部分においては、表表紙４１６と裏表紙４１８との間において全ての保挟シート４３０が密着した状態となる。
【００５６】
保挟シート４３０には、たとえば２つの円形の貫通孔４３２が形成される。貫通孔４３２は、たとえば保挟シート４３０の幅方向における中央において上下に分かれた位置に形成される。さらに、保挟シート４３０の幅方向において、背表紙４１６との溶着連結体４４４の反対側端部の取り出し側側縁４３０ｂに、インデックス４３４が形成される。インデックス４３４は、保挟シート４３０の幅方向の端部の一部が突出するように形成される。
【００５７】
この実施の形態では、表表紙４１６側の２０枚の保挟シート４３０に、互いに位置をずらして指標、例えば、曜日、挟まれる用紙やカードの内容の表示用のインデックス４３４が形成される。このとき、表表紙４１６側から内側に向かうにしたがって、保挟シート４３０の長手方向の一端側から他端側に位置をずらしてインデックス４３４を形成することにより、保挟シート４３０のインデックス４３４が、高さ方向における上から下に連続して見えるように配置することができる。
そして、表表紙４１６側から内側に向かうにしたがって、例えば数字が大きくなる等順序が判別できるように、各インデックス４３４に「１」から「５」、「６」から「１０」までの指標（図示せず）が印刷される。
それにより、保挟シート４３０がまとまったとき、保挟シート４３０の長手方向の一端側から他端側に向かって、「１」から「５」、「６」から「１０」までの指標が順序よく並んで表示される。
【００５８】
「１０」の指標が表示されたインデックス４３４を有する保挟シート４３０に続いて、つまり裏表紙４１８側に、図１４に示すように、保挟シート４３０の長手方向の一端側から他端側に向かって、わん曲部４１４Ａの頂上から「ａ」「ｂ」「ｃ」「ｄ」「ｅ」の指標が順序よく並んで表示され、さらに黒いドットの表示（図示せず）が順序よく並んで表示されたインデックス４３４を有する保挟シート４３０が配置される。
それにより、１枚目から５枚目の「１」から「５」までの表示と、５枚目から１０枚目の「６」から「１０」の表示とが２列に分けて表示される。そして、１１枚目から１５枚目の「ａ」〜「ｅ」のアルファベットの表示と、１６枚目から２０枚目の黒いドットの表示とが２列に分けて表示されて、全ての表示を見ることができる。
なお、１１枚目から１５枚目の「ａ」「ｂ」「ｃ」「ｄ」「ｅ」の表示と、１６枚目から２０枚目の黒いドットの表示がされたインデックス４３４についても、「１」から「１０」までの表示がされたインデックス４３４と同様の位置関係となるように、各保挟シート４３０にインデックス４３４が形成されている。
【００５９】
さらに、図１９に示すように、背表紙４１４の外面側を覆うように、表紙４１２の長手方向の上端から下端まで、背見出し４６０が形成される。背見出し４６０は、たとえば透明な長方形状の熱可塑性フィルムを背表紙４１４と平行な位置で表表紙４１６及び裏表紙４１８に溶着することにより形成される。そして、背見出し４６０に背見出し紙４６２を挿入することにより、必要な情報を表示することができる。このとき、裏表紙４１８側よりも表表紙４１６側のほうに多くの背見出し４６０がくるようにすることにより、表表紙４１６側から背見出し紙４６２に表示された情報が確認しやすくなる。
【００６０】
このようなファイル４１０を作製する方法について、主として図２０ないし図２６に基づいて次に説明する。
被挟体Ｘを挟む保挟シート４３０が並んで固着されたファイル４１０の製造方法は、保挟シート４３０を、被挟体Ｘの厚さに対応した間隔をおいて、背表紙４１４側の端縁において互いに並んで熱溶着して連結して連結部４３０ａを形成する、溶着工程と、被挟体Ｘを挟むときには並んだ保挟シート４３０の対向面の間に被挟体Ｘを保持する形状を維持され且つ保挟シート４３０ののびる側に向けてわん曲した形状を維持されるように保形されるとともに、被挟体Ｘを取り外すときには、保挟シート４３０ののびる側に向けて更にわん曲してアーチ状に曲がるように柔軟に形成されたわん曲部４１４Ａを背表紙４１４領域に形成する、わん曲部形成工程とを含む。
【００６１】
まず、図１９に示すように、表紙４１２が準備される。
次に、図２１に示すように、複数の保挟シート４３０が準備される。保挟シート４３０の大きさは、ファイル４１０に保管する書類の大きさより大きくなるように設定される。
ここで、図２２に示すように、最もわん曲部４１４Ａの頂上にある「ａ」の指標が表示されたインデックス４３４を有する保挟シート４３０の幅をＬ（１）とし、図２３に示すように、最も４１６側から内側に並んだ「ｂ」の指標が表示されたインデックス４３４を有する保挟シート４３０の幅をＬ（２）とすると、Ｌ（２）がＬ（１）より長くなるように形成される。
さらに、図２４に示すように、「ｅ」の指標が表示されたインデックス４３４を有する保挟シート４３０の幅Ｌ（１）は、「ａ」の指標が表示されたインデックス４３４を有する保挟シート４３０の幅Ｌ（３）より大きく形成される。
同様にして、背表紙４１４側にある「１」の指標が表示されたインデックス４３４から、わん曲部４１４Ａの頂上付近にある「１０」の指標が表示されたインデックス４３４を有する保挟シート４３０の幅Ｌ（３）まで、順次保挟シート４３０の幅が短くなるように形成される。
【００６２】
これは、図１４に示すように、「ａ」から「ｅ」までの指標が表示されたインデックス４３４と１６枚目から２０枚目の黒いドットを表示されたインデックス４３４とが、列違いに配置されるようにするためである。
そして、１６枚目の黒いドットの指標が表示されたインデックス４３４を有する保挟シート４３０の幅Ｌ（１）から、２０枚目の黒いドットが表示されたインデックス４３４を有する保挟シート４３０の幅Ｌ（ｄｏｔ）まで、順次幅が大きくなっていくように、各保挟シート４３０が形成される。
したがって、中央の１０枚目及び１１枚目の保挟シート４３０から表表紙４１６側の１枚目の保挟シート４３０及び裏表紙４１８側の２０枚目の保挟シート４３０に向かって幅が大きくなるように、各保挟シート４３０が配置されている。
【００６３】
なお、それぞれの保挟シート４３０において、複数の円形の貫通孔４３２のうちの対応するものは、保挟シート４３０の長手方向の同じ位置に形成される。また、それぞれの保挟シート４３０において、複数の円形の貫通孔４３２のうちの対応するものは、保挟シート４３０のインデックス４３４とは反対側の幅方向端部から等距離となる位置に形成される。したがって、幅の異なる保挟シート４３０であっても、長手方向の端部及びインデックス４３４とは反対側の幅方向端部を揃えて重ねることにより、全ての保挟シート４３０の貫通孔４３２を揃えることができる。
【００６４】
このように配置された保挟シート４３０の間に、隣接する保挟シート４３０の間の間隔（並んだ保挟シート４３０の対向面の間に被挟体Ｘを保持する形状を維持させる間隔）を正しく保持するための隔幅部材（間隔片）としての合紙４７０が挟み込まれる。合紙４７０は、図２１に示すように、所定の厚みを有する長方形状に形成される。合紙４７０の長手方向の長さは、保挟シート４３０の長手方向と同じ長さとなるように形成される。そして、合紙４７０の長手方向の両端に、一部が突出する突出部４７０ａが形成される。また、合紙４７０の幅方向の長さは、たとえば保挟シート４３０の幅方向の長さより短くなるように形成される。
【００６５】
合紙４７０には、２つの貫通孔４７２が形成される。合紙４７０の貫通孔４７２は、保挟シート４３０の２つの貫通孔４３２に対応して形成される。つまり、保挟シート４３０の長手方向と合紙４７０の長手方向とを合わせるとともに、インデックス４３４とは反対側の保挟シート４３０の幅方向端部（取り出し側側縁４３０ｂ）と合紙４７０の幅方向の一端側とを合わせるようにして、保挟シート４３０と合紙４７０とを重ねたとき、保挟シート４３０の２つの貫通孔４３２と合紙４７０の貫通孔４７２とが重なるように形成される。このような合紙４７０を複数の保挟シート４３０の間に挟み込み、保挟シート４３０の貫通孔４３２と合紙４７０の貫通孔４７２とを揃えることにより、全ての保挟シート４３０について、取り出し側側縁４３０ｂとは反対側の端部が揃うように配置することができる。
【００６６】
次に、図２６に示すように、表紙４１２の背表紙４１４に保挟シート４３０が溶着される。このとき、背表紙４１４が平らになるように、表紙４１２が保持される。そして、表紙４１２の第２の溝４２４ｂが形成された側において、取り出し側側縁４３０ｂとは反対側の保挟シート４３０の幅方向端部が背表紙４１４側に配置される。この状態で、背表紙４１４と保挟シート４３０の対向部を溶融したのち互いを押し当てて溶着することにより、架設連結部４２２部分において、保挟シート４３０の幅方向端部が接続され、背表紙４１４の貫通孔４２０部分において、保挟シート４３０の端部間に連結部４３０ａが形成される。
【００６７】
連結部４３０ａは、背表紙４１４の幅方向における貫通孔４２０のＡ面側孔縁４２０ａの表表紙４１６側の保形部４１４ａの周縁近傍及びＢ面側孔縁４２０ｂの裏表紙４１８側の保形部４１４ｂの周縁近傍並びに幅方向における手前側孔縁４２０ｃの手前側の架設連結部４２２の周縁近傍及び向こう側孔縁４２０ｄの向こう側の架設連結部４２２の周縁近傍に溶着されている。
更に、連結部４３０ａは、背表紙４１４及び架設連結部４２２との溶着時に加熱されたとき、加熱によって溶融し始め、柔軟になった連結部４３０ａが貫通孔４２０の孔の中に入り込み、貫通孔４２０の孔縁と密着する。すなわち、貫通孔４２０のＡ面側孔縁４２０ａ、Ｂ面側孔縁４２０ｂ、手前側孔縁４２０ｃ及び向こう側孔縁４２０ｄと接着する。
【００６８】
このように、合紙４７０を挟んで保挟シート４３０を背表紙４１４に溶着することにより、隣接する保挟シート４３０間に合紙４７０の厚み分の隙間を形成することができる。
次に、背表紙４１４は、保挟シート４３０の端縁を熱溶融するときに同時に又は後に保挟シート４３０が固着される領域をわん曲して、わん曲部４１４Ａを形成するように、背表紙４１４の保挟シート４３０が固着された面とは反対側の（背中合わせの側）面に円弧状面を有する治具を押しあて、加熱して背表紙４１４を構成する合成樹脂シートをわん曲させる。
【００６９】
次に、図１９に示すように、表紙４１２には、保挟シート４３０が溶着された側と反対側に長方形状の透明な樹脂フィルムが溶着され、背見出し４６０が形成される。ここで、上述のように、表表紙４１６側が裏表紙４１８側より多く背見出し４６０で覆われるようにして、背見出し４６０の幅方向の両側が表紙４１２に溶着される。この背見出し４６０に、背見出し紙４６２が挿入される。
次に、突出部４７０ａ（図２１図示）を利用して合紙４７０を引き抜くことにより、保挟シート４３０間の合紙４７０が除去される。
【００７０】
そして、保挟シート４３０が内側となるようにして、表表紙４１６と裏表紙４１８とが閉じられる。それにより、背表紙４１４が保挟シート４３０の固着面側に向けて凹むように湾曲し、図１４に示すファイル４１０が得られる。
なお、保挟シート４３０の幅が異なるため、背表紙４１４が平らな状態で保挟シート４３０を溶着したとき、インデックス４３４側の保挟シート４３０の幅方向端部は不揃いとなる。しかしながら、表紙４１２を閉じることにより、背表紙４１４が内側に向けて湾曲するため、側部にある保挟シート４３０ほど背表紙４１４側に引き込まれる。
複数の保挟シート４３０は、外側から内側に向かうにしたがって、幅が小さくなるように配置されているため、表紙４１２を閉じて背表紙４１４が内側に向けて湾曲することにより、インデックス４３４側の保挟シート４３０の幅方向端部の取り出し側側縁４３０ｂが揃えられる。
このように、表紙４１２を閉じたときに、保挟シート４３０のインデックス４３４側の幅方向端部の取り出し側側縁４３０ｂを揃えるために各保挟シート４３０の幅を変えているが、背表紙４１４の幅、曲率半径及び隣接する保挟シート４３０間の間隔などにより、表紙４１２を閉じたときの保挟シート４３０の引き込み量が異なる。そのため、表紙４１２を閉じたときの保挟シート４３０の引き込み量に応じて、隣接する保挟シート４３０間の幅の差が設定される。
【００７１】
このようにして得られたファイル４１０は、たとえば２０種類のカード又は書類管理用ファイルとして用いられる。たとえば、１番目に必要な被挟体Ｘは、「１」の指標が表示されたインデックス４３４を有する保挟シート４３０と「２」の指標が表示されたインデックス４３４を有する保挟シート４３０との間に挟み込まれる。ここで、隣接する保挟シート４３０間には、合紙４７０の厚み分の隙間が形成されているが、図１７に示すように、背表紙４１４が湾曲しているため、背表紙４１４から離れるにしたがって、表表紙４１６と裏表紙４１８との間で全ての保挟シート４３０が中央側に集合し、隣接する保挟シート４３０が密着した状態となる。そのため、表紙４１２を閉じれば、隣接する保挟シート４３０によって被挟体Ｘが押し付けられ、被挟体Ｘはファイル４１０から外れることなく保持される。被挟体Ｘが複数枚の場合であっても、隣接する保挟シート４３０間に合紙４７０の厚み分の隙間があるため、被挟体Ｘをまとめて保挟シート４３０間に保持することができる。
【００７２】
ファイル４１０に保持した書類を取り出すときには、必要とする指標が表示されたインデックス４３４を有する保挟シート４３０を開くことにより、被挟体Ｘを取り外すことができる。被挟体Ｘを取り外すときには、保挟シート４３０ののびる側に向けてわん曲部４１４Ａが形成されて被挟体Ｘを挟むときに比して曲率半径が小さくなるように構成されているので、被挟体Ｘを保挟シート４３０の間から取り外し易い。
ここで、保挟シート４３０には円形の貫通孔４３２が形成されているため、保挟シート４３０と被挟体Ｘとの間が真空状態となって、保挟シート４３０に被挟体Ｘが貼り付くことを防止することができる。このように、このファイル４１０は、隣接する保挟シート４３０間に書類を挟み込むだけで保持することができるため、被挟体Ｘの出し入れが容易である。
【００７３】
このように、このファイル４１０を用いれば、指標に準じて必要な書類を管理することができる。なお、保挟シート４３０の数は任意に変更可能であり、たとえば１週間分の書類を管理するのであれば、「１」から「７」までの指標が表示されたインデックス４３４を有する保挟シート４３０と、ドットが表示されたインデックス４３４を有する保挟シート４３０とを用いればよい。また、２週間分の書類を管理するのであれば、「１」から「１４」までの指標が表示されたインデックス４３４を有する保挟シート４３０と、ドットが表示されたインデックス４３４を有する保挟シート４３０を用いればよい。さらに、インデックス４３４の表示としては、指標に限らず、ファイル４１０の用途に応じて他の項目を表示してもよい。
【００７４】
また、この発明の製造方法を用いることにより、保挟シート４３０を溶着した背表紙４１４が湾曲しているにもかかわらず、インデックス４３４側の幅方向端部が揃うように、保挟シート４３０を配置することができる。そのため、インデックス４３４をきれいに並べることができ、インデックス４３４の表示を見やすくすることができる。
【００７５】
この発明は、この発明思想に基づき種々変更することができる。
保挟シート４３０は、図２７ないし図３１において示すように、変形してもよい。
保挟シート４３０は、この実施の形態においては、第１の保挟シート４４０と第２の保挟シート４５０との２種類の保挟シートが存在する。
第１の保挟シート４４０は、長方形の挟持シート部４４２と前記挟持シート部４４２の端部から前記背表紙４１４の内側と前記複数の第２の保挟シート４５０の端部（綴じ代部）との間にわたって溶着連結体４４４が一体形成されている。
【００７６】
溶着連結体４４４は、挟持シート部４４２の向こう側端から手前側端にわたって形成された長方形状で、挟持シート部４４２と直交するように、１枚のシート状体が折り曲げられて形成され、背表紙４１４より一回り小さな形状である。
溶着連結体４４４は、背表紙４１４の幅と略々同一の幅を備えており、背表紙４１４の内側において架設連結部４２２の内側面及び架設連結部４２２の幅方向における溝４２４の近傍、並びに背表紙４１４の幅方向における貫通孔４２０のＡ面側孔縁４２０ａの表表紙４１６側の近傍、Ｂ面側孔縁４２０ｂの裏表紙４１８側の近傍の保形部４１４ａ、及び幅方向における手前側孔縁４２０ｃの手前側近傍、及び向こう側孔縁４２０ｄの向こう側近傍の保形部４１４ｂに溶着されている。
【００７７】
更に、第１の保挟シート４４０の溶着連結体４４４は、背表紙４１４及び架設連結部４２２との溶着時に加熱されたとき、加熱によって溶融し始め、柔軟になった溶着連結体４４４が貫通孔４２０の孔の中に入り込み、貫通孔４２０の孔縁と密着する。すなわち、貫通孔４２０のＡ面側孔縁４２０ａ、Ｂ面側孔縁４２０ｂ、手前側孔縁４２０ｃ及び向こう側孔縁４２０ｄと接着する。
このとき、溶着連結体４４４は、完全に溶融し元のシート形状を失うのではなく、背表紙４１４の外側に膨出した部分は溶融せず、もとのシート状の形状をほぼ保った状態となり、貫通孔４２０の内側（孔内）で連結部が形成される。
すなわち、溶着連結体４４４の厚み方向の半分は、元のシート形状の状態に近い、全体が一体となってつながった状態となっている。
一方、第２の保挟シート４５０の幅方向の一端側は、背表紙４１４の内側であって、第１の保挟シート４４０の溶着連結体４４４の内側の平面に密着するように、長手方向において直線状となるように形成される。そして、隣接する第１の保挟シート４４０の挟持シート部４４２と第２の保挟シート４５０が薄状物たる書類などの被挟体Ｘを挟むために適する所定の間隔を隔てて配置されるようにして、第２の保挟シート４５０の幅方向の一端側が、第１の保挟シート４４０の溶着連結体４４４に溶着され、且つ隣接する複数の第２の保挟シート４５０も、薄状物たる書類などの被挟体Ｘを挟むために適する所定の間隔を隔てて配置されるようにして、第２の保挟シート４５０の幅方向の一端側が、第１の保挟シート４４０の溶着連結体４４４に溶着される。
【００７８】
背表紙４１４は、被挟体Ｘを挟むときには保挟シート４３０を固着した固着面側に向けてわん曲した形状を維持されるように保形され、且つ被挟体Ｘを取り外すときには、保挟シート４３０を固着した固着面側に向けて更にわん曲されて被挟体Ｘを挟むときに比して曲率半径が小さくなるように柔軟に形成された、わん曲部４１４Ａを備える。
わん曲部４１４Ａは、表紙４１２を閉じたとき、保挟シート４３０を固着した面側に膨らむ円弧状であり、表紙４１２を開いたとき、保挟シート４３０を固着した面側に膨らむ円弧状であるが、閉じたときの円弧の径より開いたときの円弧の径の方が短くなるように構成されている。
【００７９】
背表紙４１４は湾曲しているため、表表紙４１６と裏表紙４１８との間において、全ての保挟シート４３０が背表紙４１４から遠ざかるにしたがって表表紙４１６と裏表紙４１８の間の中央部に向かって集中する。したがって、表紙４１２を閉じたとき、背表紙４１４との溶着連結体４４４においては、それぞれの保挟シート４３０が互いに間隔を隔てているが、背表紙４１４から離れた部分においては、表表紙４１６と裏表紙４１８との間において全ての保挟シート４３０が密着した状態となる。
【００８０】
このようなファイル４１０を作製するために、図３１Ａに示すように、表紙４１２が準備される。ここで、表紙４１２として、図１５に示すように、予め背表紙４１４の長手方向の両端部が表表紙４１６及び裏表紙４１８の長手方向の両端部より窪んだ状態となるように形成されたものが用いられる。つまり、貫通孔４２０の間に形成された架設連結部４２２の最も外側にあるものについて、貫通孔４２０の反対側に窪み部４２２ａが形成されている。窪み部４２２ａは、たとえば背表紙４１４の幅と略同じとなるように形成され、窪み部４２２ａと表表紙４１６との境界部分及び窪み部４２２ａと裏表紙４１８との境界部分は円弧状に形成される。このような表紙４１２について、背表紙４１４が平らになるように保持される。
【００８１】
次に、図２７に示すように、複数の保挟シート４３０が準備される。
保挟シート４３０のうち、第１の保挟シート４４０が、表表紙４１６と裏表紙４１８の内側に配置され、溶着連結体４４４は、背表紙４１４の内側に対向するように配置される。
第１の保挟シート４４０の溶着連結体４４４は、背表紙４１４の内側において、貫通孔４２０の孔縁の近傍の保形部４１４ａ及び保形部４１４ｂと対向するように配置される。
貫通孔４２０の幅方向において間隔を隔てるＡ面側孔縁４２０ａの近傍とＢ面側孔縁４２０ｂの近傍との間において、左右に均等に背表紙４１４の保形部４１４ｂと接着されるように配置されるとともに、貫通孔４２０の長手方向において間隔を隔てる手前側孔縁４２０ｃと向こう側孔縁４２０ｄとの間において、均等に背表紙４１４の保形部４１４ａと接着されるように配置される。
【００８２】
保挟シート４３０のうち、第２の保挟シート４５０が第１の保挟シート４４０の溶着連結体４４４の内側面と直交する方向において、第２の保挟シート４５０の端部（綴じ代部）が密着できるように配置される。
第１の保挟シート４４０の挟持シート部４４２と第２の保挟シート４５０とは、挟持シート部４４２のＢ面側と第２の保挟シート４５０のＡ面側とが対向して、第１の保挟シート４４０と第２の保挟シート４５０とが略々同一の間隔をおいて並列され、且つ第２の保挟シート４５０の長手端縁が挟持シート部４４２の長手方向に並列されている。
【００８３】
なお、それぞれの保挟シート４３０において、複数の円形の貫通孔４３２のうちの対応するものは、保挟シート４３０の長手方向の同じ位置に形成される。また、それぞれの保挟シート４３０において、複数の円形の貫通孔４３２のうちの対応するものは、保挟シート４３０のインデックス４３４とは反対側の幅方向端部の取り出し側側縁４３０ｂから等距離となる位置に形成される。したがって、幅の異なる保挟シート４３０であっても、長手方向の端部及びインデックス４３４とは反対側の幅方向端部を揃えて重ねることにより、全ての保挟シート４３０の貫通孔４３２を揃えることができる。
【００８４】
このように配置された保挟シート４３０（第１の保挟シート４４０の挟持シート部４４２及び第２の保挟シート４５０）の間に、隔幅部材としての合紙４７０が挟み込まれる。合紙４７０は、図２７に示すように、所定の厚みを有する長方形状に形成される。合紙４７０の長手方向の長さは、保挟シート４３０（第１の保挟シート４４０の挟持シート部４４２及び第２の保挟シート４５０）の長手方向と同じ長さとなるように形成される。そして、合紙４７０の長手方向の両端に、一部が突出する突出部４７０ａが形成される。また、合紙４７０の幅方向の長さは、たとえば保挟シート４３０の幅方向の長さより長くなるように形成される。
【００８５】
合紙４７０には、２つの貫通孔４７２が形成される。合紙４７０の貫通孔４７２は、インデックス４３４とは反対側の保挟シート４３０の幅方向端部に近い３つの貫通孔４３２に対応して形成される。つまり、保挟シート４３０の長手方向と合紙４７０の長手方向とを合わせるとともに、取り出し側側縁４３０ｂとは反対側の保挟シート４３０の幅方向端部と合紙４７０の幅方向の一端側とを合わせるようにして、保挟シート４３０と合紙４７０とを重ねたとき、取り出し側側縁４３０ｂとは反対側の保挟シート４３０の幅方向端部側にある３つの貫通孔４３２と合紙４７０の貫通孔４７２とが重なるように形成される。このような合紙４７０を複数の保挟シート４３０（第１の保挟シート４４０の挟持シート部４４２及び第２の保挟シート４５０）の間に挟み込み、保挟シート４３０の貫通孔４３２と合紙４７０の貫通孔４７２とを揃えることにより、全ての保挟シート４３０（第１の保挟シート４４０の挟持シート部４４２及び第２の保挟シート４５０）について、取り出し側側縁４３０ｂとは反対側の端部が揃うように配置することができる。次に、図２５Ｅに示すように、表紙４１２の背表紙４１４に保挟シート４３０（第１の保挟シート４４０の溶着連結体４４４及び第２の保挟シート４５０）が溶着される。
【００８６】
また、製本装置１０００は、図３１Ａ〜３１Ｅに示すように、第１の保挟シート４４０の挟持シート部４４２と多数枚の第２の保挟シート４５０とを重合した保挟シート４３０を保持する保挟シート保持機構１００２と、表紙４１２を保持する表紙用保持機構１００４と、発熱体１００６（Ｈ）と、この発熱体１００６（Ｈ）を保挟シート４３０と表紙４１２との間に介在または抜き出し可能とするシリンダ機構（図示せず）とを備えている。
【００８７】
保挟シート保持機構１００２は、テーブル１０１０に固定の保挟シート押圧部１００８と、図示しないねじやピストン等の駆動手段でテーブル１０１０上を可動する可動保挟シート押圧部１０１２と、固定の保挟シート押圧部１００８と可動保挟シート押圧部１０１２とによって保挟シート４３０をクランプするように構成されている。
【００８８】
また、表紙用保持機構１００４は、表紙４１２の裏表紙４１８の内面を下向きにして取り付け可能に構成されたものであり、図示しない昇降手段により上下動可能に構成されている。
【００８９】
発熱体１００６（Ｈ）は、内部にシーズヒータ等が内蔵された板状のものであるが、発熱体１００６（Ｈ）はこれに限らず、熱エネルギーを放出可能な種々の手段が考えられる。
【００９０】
前記の製本装置１０００を使用してファイルを製本する方法について説明する。
まず、図３１Ａに示すように、第１の保挟シート４４０の挟持シート部４４２と多数枚の第２の保挟シート４５０とを重合し、その重なり端面を固定の保挟シート押圧部１００８と可動保挟シート押圧部１０１２とでクランプし、且つ、表紙用保持機構１００４により、表紙４１２の裏表紙４１８の内面を下側にした状態で、表紙４１２を保持し、表紙用保持機構１００４を下降させて第１の保挟シート４４０の溶着連結体４４４の上面と表紙４１２の裏表紙４１８の内面とを対向させるとともに、その間に発熱体１００６（Ｈ）を介在させることができる位置まで接近させる。
そして、発熱体１００６（Ｈ）を両者の間に介在させ、表紙４１２の裏表紙４１８の内面と第１の保挟シート４４０の溶着連結体４４４の上面並びに第１の保挟シート４４０の溶着連結体４４４の下面及び第２の保挟シート４５０のつき合せ端面とを同時に溶融させる。
【００９１】
その溶融温度は、ポリプロピレンの溶融温度が、１２０〜１３０℃であるため、１７０〜１８０℃前後の発熱体１００６を使用して４〜５秒前後の時間で、表紙４１２の裏表紙４１８の内面と第１の保挟シート４４０の溶着連結体４４４の上面並びに第１の保挟シート４４０の溶着連結体４４４の下面及び第２の保挟シート４５０のつき合せ端面とを同時に溶融させる。
その後、背表紙４１４と溶着連結体４４４との間から発熱体１００６（Ｈ）を引き抜き、背表紙４１４を第１の保挟シート４４０の溶着連結体４４４に接触させて両者を接合する（図３１Ｃ参照）。
【００９２】
次に、再び、表紙用保持機構１００４を背表紙４１４の上面に押し当て、表紙４１２の裏表紙４１８の内面と第１の保挟シート４４０の溶着連結体４４４の上面並びに第１の保挟シート４４０の溶着連結体４４４の下面及び第２の保挟シート４５０のつき合せ端面とを同時に溶着させる（図３１Ｄ参照）。
【００９３】
保挟シート４３０は、表紙４１２の第２の溝４２４ｂが形成された側において、インデックス４３４とは反対側の保挟シート４３０のうち第１の保挟シート４４０の溶着連結体４４４を背表紙４１４の内面と対向させ、且つ第２の保挟シート４５０の幅方向端部を背表紙４１４側すなわち、第１の保挟シート４４０の溶着連結体４４４の内面側に配置させる。
次に、背表紙４１４の内側面と、第１の保挟シート４４０の溶着連結体４４４の外側面（背表紙４１４側）との間に発熱体１００６（Ｈ）が配置され、発熱体１００６（Ｈ）と背表紙４１４の内側面と第１の保挟シート４４０の溶着連結体４４４及び第２の保挟シート４５０の端部を（綴じ代側）とを接近させる。この状態で、背表紙４１４と保挟シート４３０との間に挿入された発熱体Ｈが、背表紙４１４の内側面と第１の保挟シート４４０の挟持シート部４４２との対向部分を溶融させ、且つ第２の保挟シート４５０の端部を溶融させ、互いを押し当てることにより、背表紙４１４と保挟シート４３０とが溶着される。このとき、溶着連結体４４４の厚み方向の半分は、元のシート形状の状態に近い全体が一体となってつながった状態となっている。
保挟シート４３０は、たとえば弾力性を有するポリプロピレンなどの熱可塑性樹脂などで長方形状に形成される。一方、第２の保挟シート４５０は、たとえば弾力性を有するポリプロピレンなどの熱可塑性樹脂などで長方形状に形成され、その幅方向の一端側は、背表紙４１４の内側であって、第１の保挟シート４４０の溶着連結体４４４の内側の平面に密着するように、長手方向において直線状となるように形成される。
そして、隣接する第１の保挟シート４４０の挟持シート部４４２と第２の保挟シート４５０が薄状物たる書類などの被挟体Ｘを挟むために適する所定の間隔を隔てて配置されるようにして、保挟シート４３０の幅方向の一端側が、背表紙４１４に溶着される。
【００９４】
このとき、背表紙４１４の架設連結部４２２の内側面に保挟シート４３０が溶着されるが、貫通孔４２０部分においては、図３１Ｄに示すように、第１の保挟シート４４０の溶着連結体４４４の端部が溶融して、隣接する第２の保挟シート４５０の端部を連結する連結部４３０ａが形成される。このとき、架設連結部４２２部分において、保挟シート４３０の幅方向端部が接続され、背表紙４１４の貫通孔４２０部分において、第１の保挟シート４４０及び第２の保挟シート４５０の端部間に連結部４３０ａが形成される。このように、合紙４７０を挟んで保挟シート４３０を背表紙４１４に溶着することにより、隣接する保挟シート４３０間に合紙４７０の厚み分の隙間を形成することができる。
【００９５】
次に、背表紙４１４は、保挟シート４３０の端縁を熱溶融するときに同時に又は後に保挟シート４３０が固着される領域をわん曲して、わん曲部４１４Ａを形成するように、背表紙４１４の保挟シート４３０が固着された面とは反対側の（背中合わせの側）面に円弧状面を有する治具を押しあて、加熱して背表紙４１４を構成する合成樹脂シートをわん曲させる。
【００９６】
そして、適宜、溶着部位を冷却して、完全に表紙４１２の裏表紙４１８の内面と第１の保挟シート４４０の溶着連結体４４４の上面並びに第１の保挟シート４４０の溶着連結体４４４の下面及び第２の保挟シート４５０のつき合せ端面とを固着する。
【００９７】
なお、溶着のために背表紙４１４が加熱されるが、それにより架設連結部４２２が膨張して、その幅が増大する。中間部の架設連結部４２２については、幅が増大しても特に問題はないが、背表紙４１４の両端にある架設連結部４２２の幅が増大すると、架設連結部４２２の端部が表表紙４１６及び裏表紙４１８の端部を越えて突出する。この場合、ファイル４１０を立てて保管するときに、突出した架設連結部４２２にファイル４１０の重量が集中し、背表紙４１４が潰れて、見栄えが悪くなる。しかしながら、背表紙４１４の長手方向の両端部、つまり外側に位置する２つの架設連結部４２２の端部に予め窪み部４２２ａが形成されていることにより、熱による架設連結部４２２の膨張により幅が増大しても、表表紙４１６及び裏表紙４１８の端部を越えないようにすることができる。したがって、ファイル４１０を立てて保管したとき、背表紙４１４に重量が集中するのを防止することができる。
【００９８】
次に、図１４及び図１９に示すように、表紙４１２には、インデックス４３４を形成された保挟シート４３０が溶着された側と反対側に長方形状の透明な樹脂フィルムが溶着され、背見出し４６０が形成される。ここで、上述のように、表表紙４１６側が裏表紙４１８側より多く背見出し４６０で覆われるようにして、背見出し４６０の幅方向の両側が表紙４１２に溶着される。この背見出し４６０に、背見出し紙４６２が挿入される。
次に、突出部４７０ａ（図２１図示）を利用して合紙４７０を引き抜くことにより、保挟シート４３０間の合紙４７０が除去される。
【００９９】
そして、保挟シート４３０が内側となるようにして、表表紙４１６と裏表紙４１８とが閉じられる。それにより、背表紙４１４が保挟シート４３０と反対側に突出するように湾曲し、図１４に示すファイル４１０が得られる。なお、保挟シート４３０の幅が異なるため、背表紙４１４が平らな状態で保挟シート４３０を溶着したとき、インデックス４３４側の保挟シート４３０の幅方向端部は不揃いとなる。しかしながら、表紙４１２を閉じることにより、背表紙４１４が湾曲するため、中央部にある保挟シート４３０ほど背表紙４１４側に引き込まれる。複数の保挟シート４３０は、外側から内側に向かうにしたがって、幅が大きくなるように配置されているため、表紙４１２を閉じて背表紙４１４が湾曲することにより、インデックス４３４側の保挟シート４３０の幅方向端部が揃えられる。このように、表紙４１２を閉じたときに、保挟シート４３０のインデックス４３４側の幅方向端部を揃えるために各保挟シート４３０の幅を変えているが、背表紙４１４の幅、曲率半径及び隣接する保挟シート４３０間の間隔などにより、表紙４１２を閉じたときの保挟シート４３０の引き込み量が異なる。そのため、表紙４１２を閉じたときの保挟シート４３０の引き込み量に応じて、隣接する保挟シート４３０間の幅の差が設定される。
【０１００】
隣接する保挟シート４３０間には、合紙４７０の厚み分の隙間が形成されているが、図１７に示すように、背表紙４１４が湾曲しているため、背表紙４１４から離れるにしたがって、表表紙４１６と裏表紙４１８との間で全ての保挟シート４３０が中央側に集合し、隣接する保挟シート４３０が密着した状態となる。そのため、表紙４１２を閉じれば、隣接する保挟シート４３０によって書類などの被挟体Ｘが押し付けられ、書類などの被挟体Ｘはファイル４１０から外れることなく保持される。書類などの被挟体Ｘが複数枚の場合であっても、隣接する保挟シート４３０間に合紙４７０の厚み分の隙間があるため、書類などの被挟体Ｘをまとめて保挟シート４３０間に保持することができる。
【０１０１】
しかも、第１の保挟シート４４０の溶着連結体４４４が、第２の保挟シート４５０と背表紙４１４との間に介在して、貫通孔４２０を完全に塞ぐために、第１の保挟シート４４０と第２の保挟シート４５０及び隣接する第２の保挟シート４５０と第２の保挟シート４５０との間から貫通孔４２０を通りぬけて、抜け落ちることなく、書類などの被挟体Ｘをまとめて保挟シート４３０に保持することができる。
【０１０２】
ファイル４１０に保持した書類を取り出すときには、必要とする指標が表示されたインデックス４３４を有する保挟シート４３０を開くことにより、書類やカードなどの被挟体Ｘを取り出すことができる。ここで、保挟シート４３０には円形の貫通孔４３２が形成されているため、保挟シート４３０と書類などの被挟体Ｘとの間が真空状態となって、保挟シート４３０に書類などの被挟体Ｘが貼り付くことを防止することができる。このように、このファイル４１０は、隣接する保挟シート４３０間に書類を挟み込むだけで保持することができるため、書類などの被挟体Ｘの出し入れが容易である。
【０１０３】
さらに、このファイル４１０では、背表紙４１４の端部が表表紙４１６及び裏表紙４１８の端部を越えない形状となっているため、ファイル４１０を本棚などに立てて保管しても、ファイル４１０の重量が特定箇所に集中しない。そのため、ファイル４１０の端部が潰れたりすることを防止することができ、きれいな外観を保つことができる。なお、背表紙４１４としては、貫通孔４２０が形成されていないものを用いることもできる。この場合においても、背表紙４１４の長手方向の両端部に隣接する表表紙４１６及び裏表紙４１８の端部より窪んだ窪み部４２２ａを形成しておくことにより、保挟シート４３０を溶着したときに、背表紙４１４の端部が隣接する表表紙４１６及び裏表紙４１８の端部を越えないようにすることができる。
【０１０４】
背表紙４１４は、架設連結部４２２を形成しない構造としてもよい。
例えば、図３２において示すように、表表紙４１６と裏表紙４１８とを、溶着連結体４４４で連結するように構成してもよい。
【０１０５】
また、表紙４１２は、図３３において示すように、表表紙４１６が裏表紙４１８より幅の狭い表紙４１２として構成し、表紙４１２を閉じたときにも表表紙４１６側からインデックス４３４を見ることができるように構成してもよい。
【０１０６】
保挟シート５３０は、長方形状又は方形状でなくてもよい。
例えば、図３４において示すように、保挟シート５３０の角部を切り欠いた切り欠き部５３０ｃを設け、あるいは、図３５において示すように、保挟シート６３０の自由端縁である取り出し側端縁６３０ｂに切り欠き部６３０ｃを設け、被挟体Ｘを取り出し易くしてもよい。
【産業上の利用可能性】
【０１０７】
この発明にかかるファイル及びその製造方法は、ダイアリー、アルバム、名刺ホルダー、はがき整理ファイル、レターファイル、クリヤーブック、マガジンファイル、ドキュメントファイル、カルテフォルダー等のファイル及びそれに類するはさみ入れるものに用いる。
【符号の説明】
【０１０８】
１０  ファイル
１２  表紙
１４  背表紙
１４Ａ  わん曲部
１４ａ  保形部
１４ｂ  保形部
１６  表表紙
１８  裏表紙
２０  貫通孔
２０ａ  Ａ面側孔縁
２０ｂ  Ｂ面側孔縁
２０ｃ  手前側孔縁
２０ｄ  向こう側孔縁
２２  架設連結部
３０  保挟シート
３０ａ  連結部
３０ｂ  取り出し側側縁
３２  貫通孔
６０  背見出し
６２  背見出し紙
７０  合紙
７０ａ  突出部
７２  貫通孔
４１０  ファイル
４１２  表紙
４１４  背表紙
４１４Ａ  わん曲部
４１４ａ  保形部
４１４ｂ  保形部
４１６  表表紙
４１８  裏表紙
４２０  貫通孔
４２０ａ  Ａ面側孔縁
４２０ｂ  Ｂ面側孔縁
４２０ｃ  手前側孔縁
４２０ｄ  向こう側孔縁
４２２  架設連結部
４２２ａ  窪み部
４２４  溝
４２４ａ  第１の溝
４２４ｂ  第２の溝
４３０  保挟シート
４３０ａ  連結部
４３０ｂ  取り出し側側縁
４３２  貫通孔
４３４  インデックス
４４０  第１の保挟シート
４４２  挟持シート部
４４４  溶着連結体
４５０  第２の保挟シート
４６０  背見出し
４６２  背見出し紙
４７０  合紙
４７０ａ  突出部
４７２  貫通孔
５３０  保挟シート
５３０ｃ  切り欠き部
６３０  保挟シート
６３０ｂ  取り出し側側縁
６３０ｃ  切り欠き部
１０００  製本装置
１００２  保挟シート保持機構
１００４  表紙用保持機構
１００６  発熱体
１００８  保挟シート押圧部
１０１０  テーブル
１０１２  保挟シート押圧部
Ｈ  発熱体
Ｌ  幅
Ｘ  被挟体
【図１】
0005602068.tif 000002
【図２】
0005602068.tif 000003
【図３】
0005602068.tif 000004
【図４】
0005602068.tif 000005
【図５】
0005602068.tif 000006
【図６】
0005602068.tif 000007
【図７】
0005602068.tif 000008
【図８】
0005602068.tif 000009
【図９Ａ】
0005602068.tif 000010
【図９Ｂ】
0005602068.tif 000011
【図９Ｃ】
0005602068.tif 000012
【図９Ｄ】
0005602068.tif 000013
【図９Ｅ】
0005602068.tif 000014
【図１０】
0005602068.tif 000015
【図１１】
0005602068.tif 000016
【図１２】
0005602068.tif 000017
【図１３】
0005602068.tif 000018
【図１４】
0005602068.tif 000019
【図１５】
0005602068.tif 000020
【図１６】
0005602068.tif 000021
【図１７】
0005602068.tif 000022
【図１８】
0005602068.tif 000023
【図１９】
0005602068.tif 000024
【図２０】
0005602068.tif 000025
【図２１】
0005602068.tif 000026
【図２２】
0005602068.tif 000027
【図２３】
0005602068.tif 000028
【図２４】
0005602068.tif 000029
【図２５Ａ】
0005602068.tif 000030
【図２５Ｂ】
0005602068.tif 000031
【図２５Ｃ】
0005602068.tif 000032
【図２５Ｄ】
0005602068.tif 000033
【図２５Ｅ】
0005602068.tif 000034
【図２５Ｆ】
0005602068.tif 000035
【図２６】
0005602068.tif 000036
【図２７】
0005602068.tif 000037
【図２８】
0005602068.tif 000038
【図２９】
0005602068.tif 000039
【図３０】
0005602068.tif 000040
【図３１Ａ】
0005602068.tif 000041
【図３１Ｂ】
0005602068.tif 000042
【図３１Ｃ】
0005602068.tif 000043
【図３１Ｄ】
0005602068.tif 000044
【図３１Ｅ】
0005602068.tif 000045
【図３２】
0005602068.tif 000046
【図３３】
0005602068.tif 000047
【図３４】
0005602068.tif 000048
【図３５】
0005602068.tif 000049
【図３６】
0005602068.tif 000050